(57)【要約】【課題】基地局装置と端末装置とが通信する通信システムにおいて、複数の上りリンク制御チャネルの構成をより好適な態様での多重を可能とする。【解決手段】無線通信を行う通信部と、基地局に対して制御情報を送信するために、時間方向に沿った所定の期間中に割り当てられる、シンボル数及びリソースブロック数の双方の条件が互いに異なる第１の物理チャネルと第２の物理チャネルとを、選択的に切り替える制御部と、を備える、通信装置。【選択図】図１５
2018026626.tif 000002
【特許請求の範囲】
【請求項１】
無線通信を行う通信部と、
基地局に対して制御情報を送信するために、時系列に沿った所定の期間中に割り当てられる、シンボル数及びリソースブロック数の双方の条件が互いに異なる第１の物理チャネルと第２の物理チャネルとを、選択的に切り替える制御部と、
を備える、通信装置。
【請求項２】
前記制御部は、基地局からの指示されたタイミングに基づき、前記第１の物理チャネルと前記第２の物理チャネルとを切り替える、請求項１に記載の通信装置。
【請求項３】
前記制御部は、基地局から自己完結型送信のタイミングが指示された場合に、当該タイミングに基づき、前記第１の物理チャネルと前記第２の物理チャネルとのうち、シンボル数のより少ない物理チャネルに切り替える、請求項２に記載の通信装置。
【請求項４】
ケイパビリティに関する情報を基地局に通知する通知部を備え、
前記制御部は、前記ケイパビリティに関する情報の通知後に、前記第１の物理チャネルと前記第２の物理チャネルとを切り替えるタイミングに関する指示を基地局から受ける、
請求項２に記載の通信装置。
【請求項５】
前記制御部は、基地局に送信するデータのタイプに応じて、前記第１の物理チャネルと前記第２の物理チャネルとを切り替える、請求項１に記載の通信装置。
【請求項６】
前記制御部は、前記制御情報を送信するための周波数帯域に応じて、前記第１の物理チャネルと前記第２の物理チャネルとを切り替える、請求項１に記載の通信装置。
【請求項７】
前記制御部は、前記制御情報を送信するための送信電力の算出値に応じて、前記第１の物理チャネルと前記第２の物理チャネルとを切り替える、請求項１に記載の通信装置。
【請求項８】
前記制御部は、基地局との間の通信に適用される通信方式に応じて、前記第１の物理チャネルと前記第２の物理チャネルとを切り替える、請求項１に記載の通信装置。
【請求項９】
前記制御部は、デュアルコネクティビティによって設定される無線アクセス技術の種別に応じて、前記第１の物理チャネルと前記第２の物理チャネルとを切り替える、請求項１に記載の通信装置。
【請求項１０】
前記制御部は、前記所定の期間を１以上含む期間において、前記第１の物理チャネルと前記第２の物理チャネルとを時間方向または周波数方向に多重する、請求項１に記載の通信装置。
【請求項１１】
前記制御部は、連続する２以上の前記所定の期間のうち、前記第２の物理チャネルを割り当てた第１の期間よりも、時間方向に沿って後方側に位置する第２の期間に前記第１の物理チャネルを割り当てることで、当該第１の物理チャネルと当該第２の物理チャネルとを時間方向に多重する、請求項１０に記載の通信装置。
【請求項１２】
前記制御部は、前記第１の物理チャネルと前記第２の物理チャネルとが割り当てられる周波数帯域のうち、周波数方向に沿ったより端部側に前記第１の物理チャネルを割り当て、周波数方向に沿ったより中心側に前記第２の物理チャネルを割り当てることで、当該第１の物理チャネルと当該第２の物理チャネルとを周波数方向に多重する、請求項１０に記載の通信装置。
【請求項１３】
無線通信を行う通信部と、
端末装置から制御情報を受信するために、時系列に沿った所定の期間中に割り当てられる、シンボル数及びリソースブロック数の双方の条件が互いに異なる第１の物理チャネルと第２の物理チャネルとの間の切り替えに関する情報を、端末装置に通知する通知部と、
を備える、通信装置。
【請求項１４】
前記所定の期間に対する、前記第１の物理チャネル及び前記第２の物理チャネルの割り当てを制御する制御部を備え、
前記第２の物理チャネルは、前記第１の物理チャネルよりも、リソースブロック数が多く、かつシンボル数が少ない、請求項１３に記載の通信装置。
【請求項１５】
前記制御部は、前記第２の物理チャネルを、前記所定の期間中の時間方向に沿ったより後方側に割り当てる、請求項１４に記載の通信装置。
【請求項１６】
前記制御部は、前記第２の物理チャネルに対して前記制御情報をマッピングするためのインデックスを、前記所定の期間中の時間方向に沿った後方側から優先的に割り当てる、請求項１５に記載の通信装置。
【請求項１７】
前記制御部は、前記所定の期間中において、前記第２の物理チャネルのうち少なくとも一部を、他の一部とは、時間方向及び周波数方向のそれぞれの位置が異なるように割り当てる、請求項１５に記載の通信装置。
【請求項１８】
前記制御部は、前記第１の物理チャネルを、当該第１の物理チャネルの割り当ての対象となる周波数帯域の周波数方向に沿ったより端部側に割り当てる、請求項１４に記載の通信装置。
【請求項１９】
前記制御部は、前記第１の物理チャネルに対して前記制御情報をマッピングするためのインデックスを、前記周波数帯域の周波数方向に沿った端部側から優先的に割り当てる、請求項１８に記載の通信装置。
【請求項２０】
前記制御部は、前記所定の期間中において、前記第１の物理チャネルのうち少なくとも一部を、他の一部とは、時間方向及び周波数方向のそれぞれの位置が異なるように割り当てる、請求項１８に記載の通信装置。
【請求項２１】
前記制御部は、前記所定の期間中において、前記第１の物理チャネルを、前記周波数帯域の周波数方向に沿ったいずれかの端部側に連続して割り当てる、請求項１８に記載の通信装置。
【請求項２２】
無線通信を行うことと、
コンピュータが、基地局に対して制御情報を送信するために、時系列に沿った所定の期間中に割り当てられる、シンボル数及びリソースブロック数の双方の条件が互いに異なる第１の物理チャネルと第２の物理チャネルとを、選択的に切り替えることと、
を含む、通信方法。
【請求項２３】
無線通信を行うことと、
コンピュータが、端末装置から制御情報を受信するために、時系列に沿った所定の期間中に割り当てられる、シンボル数及びリソースブロック数の双方の条件が互いに異なる第１の物理チャネルと第２の物理チャネルとの間の切り替えに関する情報を、端末装置に通知することと、
を含む、通信方法。
【請求項２４】
コンピュータに、
無線通信を行うことと、
基地局に対して制御情報を送信するために、時系列に沿った所定の期間中に割り当てられる、シンボル数及びリソースブロック数の双方の条件が互いに異なる第１の物理チャネルと第２の物理チャネルとを、選択的に切り替えることと、
を実行させる、プログラム。
【請求項２５】
コンピュータに、
無線通信を行うことと、
端末装置から制御情報を受信するために、時系列に沿った所定の期間中に割り当てられる、シンボル数及びリソースブロック数の双方の条件が互いに異なる第１の物理チャネルと第２の物理チャネルとの間の切り替えに関する情報を、端末装置に通知することと、
を実行させる、プログラム。
【発明の詳細な説明】
【技術分野】
【０００１】
本開示は、通信装置、通信方法、及びプログラムに関する。
【背景技術】
【０００２】
セルラー移動通信の無線アクセス方式および無線ネットワーク（以下、「Long  Term  Evolution（LTE）」、「LTE-Advanced（LTE-A）」、「LTE-Advanced  Pro（LTE-A  Pro）」、「New  Radio（NR）」、「New  Radio  Access  Technology（NRAT）」、「Evolved  Universal  Terrestrial  Radio  Access（EUTRA）」、または「Further  EUTRA（FEUTRA）」とも称する。）が、第三世代パートナーシッププロジェクト（3rd  Generation  Partnership  Project:  3GPP）において検討されている。なお、以下の説明において、ＬＴＥは、LTE-A、LTE-A  Pro、およびEUTRAを含み、ＮＲは、NRAT、およびFEUTRAを含む。ＬＴＥおよびＮＲでは、基地局装置（基地局）はｅＮｏｄｅＢ（evolved  NodeB）、端末装置（移動局、移動局装置、端末）はＵＥ（User  Equipment）とも称する。ＬＴＥおよびＮＲは、基地局装置がカバーするエリアをセル状に複数配置するセルラー通信システムである。単一の基地局装置は複数のセルを管理してもよい。
【０００３】
ＮＲは、ＬＴＥに対する次世代の無線アクセス方式として、ＬＴＥとは異なるＲＡＴ（Radio  Access  Technology）である。ＮＲは、ｅＭＢＢ（Enhanced  mobile  broadband）、ｍＭＴＣ（Massive  machine  type  communications）およびＵＲＬＬＣ（Ultra  reliable  and  low  latency  communications）を含む様々なユースケースに対応できるアクセス技術である。ＮＲは、それらのユースケースにおける利用シナリオ、要求条件、および配置シナリオなどに対応する技術フレームワークを目指して検討される。ＮＲのシナリオや要求条件の詳細は、非特許文献１に開示されている。
【先行技術文献】
【非特許文献】
【０００４】
【非特許文献１】3rd  Generation  Partnership  Project;  Technical  Specification  Group  Radio  Access  Network;  Study  on  Scenarios  and  Requirements  for  Next  Generation  Access  Technologies;  (Release  14),  3GPP  TR  38.913  V0.3.0  (2016−03).＜http://www.3gpp.org/ftp/Specs/archive/38_series/38.913/38913-030.zip＞
【発明の概要】
【発明が解決しようとする課題】
【０００５】
無線アクセス技術において、下りリンクチャネルの復号処理や上りリンクチャネルの生成処理などの端末装置の能力は、ユースケースに応じて柔軟に設計されることが好ましい。周波数利用効率の観点から、当該柔軟に設計された複数の無線アクセス技術の多重を行うことが重要である。そして、通信の対象となる端末装置の能力に応じて、上りリンク制御チャネルの構成も柔軟に切り替えることが好ましい。しかしながら、複数の上りリンク制御チャネルの構成を多重することが困難である。
【０００６】
そこで、本開示では、基地局装置と端末装置とが通信する通信システムにおいて、複数の上りリンク制御チャネルの構成をより好適な態様で多重することが可能な、通信装置、通信方法、及びプログラムを提案する。
【課題を解決するための手段】
【０００７】
本開示によれば、無線通信を行う通信部と、基地局に対して制御情報を送信するために、時間方向に沿った所定の期間中に割り当てられる、シンボル数及びリソースブロック数の双方の条件が互いに異なる第１の物理チャネルと第２の物理チャネルとを、選択的に切り替える制御部と、を備える、通信装置が提供される。
【０００８】
また、本開示によれば、無線通信を行う通信部と、端末装置から制御情報を受信するために、時間方向に沿った所定の期間中に割り当てられる、シンボル数及びリソースブロック数の双方の条件が互いに異なる第１の物理チャネルと第２の物理チャネルとの間の切り替えに関する情報を、端末装置に通知する通知部と、を備える、通信装置が提供される。
【０００９】
また、本開示によれば、無線通信を行うことと、コンピュータが、基地局に対して制御情報を送信するために、時間方向に沿った所定の期間中に割り当てられる、シンボル数及びリソースブロック数の双方の条件が互いに異なる第１の物理チャネルと第２の物理チャネルとを、選択的に切り替えることと、を含む、通信方法が提供される。
【００１０】
また、本開示によれば、無線通信を行うことと、コンピュータが、端末装置から制御情報を受信するために、時間方向に沿った所定の期間中に割り当てられる、シンボル数及びリソースブロック数の双方の条件が互いに異なる第１の物理チャネルと第２の物理チャネルとの間の切り替えに関する情報を、端末装置に通知することと、を含む、通信方法が提供される。
【００１１】
また、本開示によれば、コンピュータに、無線通信を行うことと、基地局に対して制御情報を送信するために、時間方向に沿った所定の期間中に割り当てられる、シンボル数及びリソースブロック数の双方の条件が互いに異なる第１の物理チャネルと第２の物理チャネルとを、選択的に切り替えることと、を実行させる、プログラムが提供される。
【００１２】
また、本開示によれば、コンピュータに、無線通信を行うことと、端末装置から制御情報を受信するために、時間方向に沿った所定の期間中に割り当てられる、シンボル数及びリソースブロック数の双方の条件が互いに異なる第１の物理チャネルと第２の物理チャネルとの間の切り替えに関する情報を、端末装置に通知することと、を実行させる、プログラムが提供される。
【発明の効果】
【００１３】
以上説明したように本開示によれば、基地局装置と端末装置とが通信する通信システムにおいて、複数の上りリンク制御チャネルの構成をより好適な態様で多重することが可能な、通信装置、通信方法、及びプログラムが提供される。
【００１４】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１５】
【図１】本開示の一実施形態におけるコンポーネントキャリアの設定の一例を示す図である。
【図２】同実施形態におけるコンポーネントキャリアの設定の一例を示す図である。
【図３】同実施形態におけるＬＴＥの下りリンクサブフレームの一例を示す図である。
【図４】同実施形態におけるＬＴＥの上りリンクサブフレームの一例を示す図である。
【図５】ＮＲセルにおける送信信号に関するパラメータセットの一例を示す図である。
【図６】同実施形態におけるＮＲの下りリンクサブフレームの一例を示す図である。
【図７】同実施形態におけるＮＲの上りリンクサブフレームの一例を示す図である。
【図８】同実施形態の基地局装置の構成を示す概略ブロック図である。
【図９】同実施形態の端末装置２の構成を示す概略ブロック図である。
【図１０】同実施形態におけるＬＴＥの下りリンクリソースエレメントマッピングの一例を示す図である。
【図１１】同実施形態におけるＮＲの下りリンクリソースエレメントマッピングの一例を示す図である。
【図１２】同実施形態におけるＮＲの下りリンクリソースエレメントマッピングの一例を示す図である。
【図１３】同実施形態におけるＮＲの下りリンクリソースエレメントマッピングの一例を示す図である。
【図１４】同実施形態における自己完結型送信のフレーム構成の一例を示す図である。
【図１５】第１のＮＲ−ＰＵＣＣＨの構成の一例について説明するための説明図である。
【図１６】第１のＮＲ−ＰＵＣＣＨの構成の他の一例について説明するための説明図である。
【図１７】第２のＮＲ−ＰＵＣＣＨの構成の一例について説明するための説明図である。
【図１８】第２のＮＲ−ＰＵＣＣＨの構成の他の一例について説明するための説明図である。
【図１９】第１のＮＲ−ＰＵＣＣＨリソースの論理−物理マッピングの一例について説明するための説明図である。
【図２０】第２のＮＲ−ＰＵＣＣＨリソースの論理−物理マッピングの一例について説明するための説明図である。
【図２１】第２のＮＲ−ＰＵＣＣＨリソースの論理−物理マッピングの他の一例について説明するための説明図である。
【図２２】第１のＮＲ−ＰＵＣＣＨと第２のＮＲ−ＰＤＣＣＨとの時間領域多重の一例について説明するための説明図である。
【図２３】第１のＮＲ−ＰＵＣＣＨと第２のＮＲ−ＰＵＣＣＨとの周波数領域多重の一例について説明するための説明図である。
【図２４】ｅＮＢの概略的な構成の第１の例を示すブロック図である。
【図２５】ｅＮＢの概略的な構成の第２の例を示すブロック図である。
【図２６】スマートフォンの概略的な構成の一例を示すブロック図である。
【図２７】カーナビゲーション装置の概略的な構成の一例を示すブロック図である。
【発明を実施するための形態】
【００１６】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１７】
なお、説明は以下の順序で行うものとする。
１．実施形態
１．１．概要
１．２．無線フレーム構成
１．３．チャネルおよび信号
１．４．構成
１．５．制御情報および制御チャネル
１．６．ＣＡ及びＤＣ
１．７．リソースの割り当て
１．８．エラー訂正
１．９．リソースエレメントマッピング
１．１０．自己完結型送信
１．１１．技術的特徴
２．応用例
２．１．基地局に関する応用例
２．２．端末装置に関する応用例
３．むすび
【００１８】
＜＜１．実施形態＞＞
＜１．１．概要＞
以下に添付図面を参照しながら、本開示の好適な実施の形態について詳細に説明する。なお、本明細書及び図面において、実質的に同一の機能構成を有する構成要素については、同一の符号を付することにより重複説明を省略する。また、特に明記されない限り、以下で説明される技術、機能、方法、構成、手順、およびその他全ての記載は、ＬＴＥおよびＮＲに適用できる。
【００１９】
＜本実施形態における無線通信システム＞
本実施形態において、無線通信システムは、基地局装置１および端末装置２を少なくとも具備する。基地局装置１は複数の端末装置を収容できる。基地局装置１は、他の基地局装置とＸ２インターフェースの手段によって互いに接続できる。また、基地局装置１は、Ｓ１インターフェースの手段によってＥＰＣ（Evolved  Packet  Core）に接続できる。さらに、基地局装置１は、Ｓ１−ＭＭＥインターフェースの手段によってＭＭＥ（Mobility  Management  Entity）に接続でき、Ｓ１−Ｕインターフェースの手段によってＳ−ＧＷ（Serving  Gateway）に接続できる。Ｓ１インターフェースは、ＭＭＥおよび／またはＳ−ＧＷと基地局装置１との間で、多対多の接続をサポートしている。また、本実施形態において、基地局装置１および端末装置２は、それぞれＬＴＥおよび／またはＮＲをサポートする。
【００２０】
＜本実施形態における無線アクセス技術＞
本実施形態において、基地局装置１および端末装置２は、それぞれ１つ以上の無線アクセス技術（ＲＡＴ）をサポートする。例えば、ＲＡＴは、ＬＴＥおよびＮＲを含む。１つのＲＡＴは、１つのセル（コンポーネントキャリア）に対応する。すなわち、複数のＲＡＴがサポートされる場合、それらのＲＡＴは、それぞれ異なるセルに対応する。本実施形態において、セルは、下りリンクリソース、上りリンクリソース、および／または、サイドリンクの組み合わせである。また、以下の説明において、ＬＴＥに対応するセルはＬＴＥセルと呼称され、ＮＲに対応するセルはＮＲセルと呼称される。
【００２１】
下りリンクの通信は、基地局装置１から端末装置２に対する通信である。下りリンク送信は、基地局装置１から端末装置２に対する送信であり、下りリンク物理チャネルおよび／または下りリンク物理信号の送信である。上りリンクの通信は、端末装置２から基地局装置１に対する通信である。上りリンク送信は、端末装置２から基地局装置１に対する送信であり、上りリンク物理チャネルおよび／または上りリンク物理信号の送信である。サイドリンクの通信は、端末装置２から別の端末装置２に対する通信である。サイドリンク送信は、端末装置２から別の端末装置２に対する送信であり、サイドリンク物理チャネルおよび／またはサイドリンク物理信号の送信である。
【００２２】
サイドリンクの通信は、端末装置間の近接直接検出および近接直接通信のために定義される。サイドリンクの通信は、上りリンクおよび下りリンクと同様なフレーム構成を用いることができる。また、サイドリンクの通信は、上りリンクリソースおよび／または下りリンクリソースの一部（サブセット）に制限されうる。
【００２３】
基地局装置１および端末装置２は、下りリンク、上りリンクおよび／またはサイドリンクにおいて、１つ以上のセルの集合を用いる通信をサポートできる。複数のセルの集合または複数のセルの集合による通信は、キャリアアグリゲーションまたはデュアルコネクティビティとも呼称される。キャリアアグリゲーションとデュアルコネクティビティの詳細は後述される。また、それぞれのセルは、所定の周波数帯域幅を用いる。所定の周波数帯域幅における最大値、最小値および設定可能な値は、予め規定できる。
【００２４】
図１は、本実施形態におけるコンポーネントキャリアの設定の一例を示す図である。図１の例では、１つのＬＴＥセルと２つのＮＲセルが設定される。１つのＬＴＥセルは、プライマリーセルとして設定される。２つのＮＲセルは、それぞれプライマリーセカンダリーセルおよびセカンダリーセルとして設定される。２つのＮＲセルは、キャリアアグリゲーションにより統合される。また、ＬＴＥセルとＮＲセルは、デュアルコネクティビティにより統合される。なお、ＬＴＥセルとＮＲセルは、キャリアアグリゲーションにより統合されてもよい。図１の例では、ＮＲは、プライマリーセルであるＬＴＥセルにより接続をアシストされることが可能であるため、スタンドアロンで通信するための機能のような一部の機能をサポートしなくてもよい。スタンドアロンで通信するための機能は、初期接続に必要な機能を含む。
【００２５】
図２は、本実施形態におけるコンポーネントキャリアの設定の一例を示す図である。図２の例では、２つのＮＲセルが設定される。２つのＮＲセルは、それぞれプライマリーセルおよびセカンダリーセルとして設定され、キャリアアグリゲーションにより統合される。この場合、ＮＲセルがスタンドアロンで通信するための機能をサポートすることにより、ＬＴＥセルのアシストが不要になる。なお、２つのＮＲセルは、デュアルコネクティビティにより統合されてもよい。
【００２６】
＜１．２．無線フレーム構成＞
＜本実施形態における無線フレーム構成＞
本実施形態において、１０ｍｓ（ミリ秒）で構成される無線フレーム（radio  frame）が規定される。無線フレームのそれぞれは２つのハーフフレームから構成される。ハーフフレームの時間間隔は、５ｍｓである。ハーフフレームのそれぞれは、５つのサブフレームから構成される。サブフレームの時間間隔は、１ｍｓであり、２つの連続するスロットによって定義される。スロットの時間間隔は、０．５ｍｓである。無線フレーム内のｉ番目のサブフレームは、（２×ｉ）番目のスロットと（２×ｉ＋１）番目のスロットとから構成される。つまり、無線フレームのそれぞれにおいて、１０個のサブフレームが規定される。
【００２７】
サブフレームは、下りリンクサブフレーム、上りリンクサブフレーム、スペシャルサブフレームおよびサイドリンクサブフレームなどを含む。
【００２８】
下りリンクサブフレームは下りリンク送信のために予約されるサブフレームである。上りリンクサブフレームは上りリンク送信のために予約されるサブフレームである。スペシャルサブフレームは３つのフィールドから構成される。３つのフィールドは、ＤｗＰＴＳ（Downlink  Pilot  Time  Slot）、ＧＰ（Guard  Period）、およびＵｐＰＴＳ（Uplink  Pilot  Time  Slot）を含む。ＤｗＰＴＳ、ＧＰ、およびＵｐＰＴＳの合計の長さは１ｍｓである。ＤｗＰＴＳは下りリンク送信のために予約されるフィールドである。ＵｐＰＴＳは上りリンク送信のために予約されるフィールドである。ＧＰは下りリンク送信および上りリンク送信が行われないフィールドである。なお、スペシャルサブフレームは、ＤｗＰＴＳおよびＧＰのみによって構成されてもよいし、ＧＰおよびＵｐＰＴＳのみによって構成されてもよい。スペシャルサブフレームは、ＴＤＤにおいて下りリンクサブフレームと上りリンクサブフレームとの間に配置され、下りリンクサブフレームから上りリンクサブフレームに切り替えるために用いられる。サイドリンクサブフレームは、サイドリンク通信のために予約または設定されるサブフレームである。サイドリンクは、端末装置間の近接直接通信および近接直接検出のために用いられる。
【００２９】
単一の無線フレームは、下りリンクサブフレーム、上りリンクサブフレーム、スペシャルサブフレームおよび／またはサイドリンクサブフレームから構成される。また、単一の無線フレームは、下りリンクサブフレーム、上りリンクサブフレーム、スペシャルサブフレームまたはサイドリンクサブフレームのみで構成されてもよい。
【００３０】
複数の無線フレーム構成がサポートされる。無線フレーム構成は、フレーム構成タイプで規定される。フレーム構成タイプ１は、ＦＤＤのみに適用できる。フレーム構成タイプ２は、ＴＤＤのみに適用できる。フレーム構成タイプ３は、ＬＡＡ（Licensed  Assisted  Access）セカンダリーセルの運用のみに適用できる。
【００３１】
フレーム構成タイプ２において、複数の上りリンク−下りリンク構成が規定される。上りリンク−下りリンク構成において、１つの無線フレームにおける１０のサブフレームのそれぞれは、下りリンクサブフレーム、上りリンクサブフレーム、およびスペシャルサブフレームのいずれかに対応する。サブフレーム０、サブフレーム５およびＤｗＰＴＳは常に下りリンク送信のために予約される。ＵｐＰＴＳおよびそのスペシャルサブフレームの直後のサブフレームは常に上りリンク送信のために予約される。
【００３２】
フレーム構成タイプ３において、１つの無線フレーム内の１０のサブフレームが下りリンク送信のために予約される。端末装置２は、ＰＤＳＣＨまたは検出信号が送信されないサブフレームを空のサブフレームとして扱うことができる。端末装置２は、所定の信号、チャネルおよび／または下りリンク送信があるサブフレームで検出されない限り、そのサブフレームにいかなる信号および／またはチャネルも存在しないと想定する。下りリンク送信は、１つまたは複数の連続したサブフレームで専有される。その下りリンク送信の最初のサブフレームは、そのサブフレーム内のどこからでも開始されてもよい。その下りリンク送信の最後のサブフレームは、完全に専有されるか、ＤｗＰＴＳで規定される時間間隔で専有されるか、のいずれかであってもよい。
【００３３】
なお、フレーム構成タイプ３において、１つの無線フレーム内の１０のサブフレームが上りリンク送信のために予約されてもよい。また、１つの無線フレーム内の１０のサブフレームのそれぞれが、下りリンクサブフレーム、上りリンクサブフレーム、スペシャルサブフレームおよびサイドリンクサブフレームのいずれかに対応するようにしてもよい。
【００３４】
基地局装置１は、スペシャルサブフレームのＤｗＰＴＳにおいて、下りリンク物理チャネルおよび下りリンク物理信号を送信してもよい。基地局装置１は、スペシャルサブフレームのＤｗＰＴＳにおいて、ＰＢＣＨの送信を制限できる。端末装置２は、スペシャルサブフレームのＵｐＰＴＳにおいて、上りリンク物理チャネルおよび上りリンク物理信号を送信してもよい。端末装置２は、スペシャルサブフレームのＵｐＰＴＳにおいて、一部の上りリンク物理チャネルおよび上りリンク物理信号の送信を制限できる。
【００３５】
なお、１つの送信における時間間隔はＴＴＩ（Transmission  Time  Interval）と呼称され、ＬＴＥにおいて、１ｍｓ（１サブフレーム）を１ＴＴＩと定義される。
【００３６】
＜本実施形態におけるＬＴＥのフレーム構成＞
図３は、本実施形態におけるＬＴＥの下りリンクサブフレームの一例を示す図である。図３に示される図は、ＬＴＥの下りリンクリソースグリッドとも呼称される。基地局装置１は、端末装置２への下りリンクサブフレームにおいて、ＬＴＥの下りリンク物理チャネルおよび／またはＬＴＥの下りリンク物理信号を送信できる。端末装置２は、基地局装置１からの下りリンクサブフレームにおいて、ＬＴＥの下りリンク物理チャネルおよび／またはＬＴＥの下りリンク物理信号を受信できる。
【００３７】
図４は、本実施形態におけるＬＴＥの上りリンクサブフレームの一例を示す図である。図４に示される図は、ＬＴＥの上りリンクリソースグリッドとも呼称される。端末装置２は、基地局装置１への上りリンクサブフレームにおいて、ＬＴＥの上りリンク物理チャネルおよび／またはＬＴＥの上りリンク物理信号を送信できる。基地局装置１は、端末装置２からの上りリンクサブフレームにおいて、ＬＴＥの上りリンク物理チャネルおよび／またはＬＴＥの上りリンク物理信号を受信できる。
【００３８】
本実施形態において、ＬＴＥの物理リソースは以下のように定義されうる。１つのスロットは複数のシンボルによって定義される。スロットのそれぞれにおいて送信される物理信号または物理チャネルは、リソースグリッドによって表現される。下りリンクにおいて、リソースグリッドは、周波数方向に対する複数のサブキャリアと、時間方向に対する複数のＯＦＤＭシンボルによって定義される。上りリンクにおいて、リソースグリッドは、周波数方向に対する複数のサブキャリアと、時間方向に対する複数のＳＣ−ＦＤＭＡシンボルによって定義される。サブキャリアまたはリソースブロックの数は、セルの帯域幅に依存して決まるようにしてもよい。１つのスロットにおけるシンボルの数は、ＣＰ（Cyclic  Prefix）のタイプによって決まる。ＣＰのタイプは、ノーマルＣＰまたは拡張ＣＰである。ノーマルＣＰにおいて、１つのスロットを構成するＯＦＤＭシンボルまたはＳＣ−ＦＤＭＡシンボルの数は７である。拡張ＣＰにおいて、１つのスロットを構成するＯＦＤＭシンボルまたはＳＣ−ＦＤＭＡシンボルの数は６である。リソースグリッド内のエレメントのそれぞれはリソースエレメントと称される。リソースエレメントは、サブキャリアのインデックス（番号）とシンボルのインデックス（番号）とを用いて識別される。なお、本実施形態の説明において、ＯＦＤＭシンボルまたはＳＣ−ＦＤＭＡシンボルは単にシンボルとも呼称される。
【００３９】
リソースブロックは、ある物理チャネル（ＰＤＳＣＨまたはＰＵＳＣＨなど）をリソースエレメントにマッピングするために用いられる。リソースブロックは、仮想リソースブロックと物理リソースブロックを含む。ある物理チャネルは、仮想リソースブロックにマッピングされる。仮想リソースブロックは、物理リソースブロックにマッピングされる。１つの物理リソースブロックは、時間領域において所定数の連続するシンボルで定義される。１つの物理リソースブロックは、周波数領域において所定数の連続するサブキャリアとから定義される。１つの物理リソースブロックにおけるシンボル数およびサブキャリア数は、そのセルにおけるＣＰのタイプ、サブキャリア間隔および／または上位層によって設定されるパラメータなどに基づいて決まる。例えば、ＣＰのタイプがノーマルＣＰであり、サブキャリア間隔が１５ｋＨｚである場合、１つの物理リソースブロックにおけるシンボル数は７であり、サブキャリア数は１２である。その場合、１つの物理リソースブロックは（７×１２）個のリソースエレメントから構成される。物理リソースブロックは周波数領域において０から番号が付けられる。また、同一の物理リソースブロック番号が対応する、１つのサブフレーム内の２つのリソースブロックは、物理リソースブロックペア（ＰＲＢペア、ＲＢペア）として定義される。
【００４０】
ＬＴＥセルのそれぞれにおいて、あるサブフレームでは、１つの所定のパラメータが用いられる。例えば、その所定のパラメータは、送信信号に関するパラメータ（物理パラメータ）である。送信信号に関するパラメータは、ＣＰ長、サブキャリア間隔、１つのサブフレーム（所定の時間長）におけるシンボル数、１つのリソースブロック（所定の周波数帯域）のおけるサブキャリア数、多元接続方式、および、信号波形などを含む。
【００４１】
すなわち、ＬＴＥセルでは、下りリンク信号および上りリンク信号は、それぞれ所定の時間長（例えば、サブフレーム）において、１つの所定のパラメータを用いて生成される。換言すると、端末装置２は、基地局装置１から送信される下りリンク信号、および、基地局装置１に送信する上りリンク信号が、それぞれ所定の時間長において、１つの所定のパラメータで生成される、と想定する。また、基地局装置１は、端末装置２に送信する下りリンク信号、および、端末装置２から送信される上りリンク信号が、それぞれ所定の時間長において、１つの所定のパラメータで生成されるように設定する。
【００４２】
＜本実施形態におけるＮＲのフレーム構成＞
ＮＲセルのそれぞれにおいて、ある所定の時間長（例えば、サブフレーム）では、１つ以上の所定のパラメータが用いられる。すなわち、ＮＲセルでは、下りリンク信号および上りリンク信号は、それぞれ所定の時間長において、１つ以上の所定のパラメータを用いて生成される。換言すると、端末装置２は、基地局装置１から送信される下りリンク信号、および、基地局装置１に送信する上りリンク信号が、それぞれ所定の時間長において、１つ以上の所定のパラメータで生成される、と想定する。また、基地局装置１は、端末装置２に送信する下りリンク信号、および、端末装置２から送信される上りリンク信号が、それぞれ所定の時間長において、１つ以上の所定のパラメータで生成されるように設定できる。複数の所定のパラメータが用いられる場合、それらの所定のパラメータが用いられて生成される信号は、所定の方法により多重される。例えば、所定の方法は、ＦＤＭ（Frequency  Division  Multiplexing）、ＴＤＭ（Time  Division  Multiplexing）、ＣＤＭ（Code  Division  Multiplexing）および／またはＳＤＭ（Spatial  Division  Multiplexing）などを含む。
【００４３】
ＮＲセルに設定される所定のパラメータの組み合わせは、パラメータセットとして、複数種類を予め規定できる。
【００４４】
図５は、ＮＲセルにおける送信信号に関するパラメータセットの一例を示す図である。図５の例では、パラメータセットに含まれる送信信号に関するパラメータは、サブキャリア間隔、ＮＲセルにおけるリソースブロックあたりのサブキャリア数、サブフレームあたりのシンボル数、および、ＣＰ長タイプである。ＣＰ長タイプは、ＮＲセルで用いられるＣＰ長のタイプである。例えば、ＣＰ長タイプ１はＬＴＥにおけるノーマルＣＰに相当し、ＣＰ長タイプ２はＬＴＥにおける拡張ＣＰに相当する。
【００４５】
ＮＲセルにおける送信信号に関するパラメータセットは、下りリンクおよび上りリンクでそれぞれ個別に規定することができる。また、ＮＲセルにおける送信信号に関するパラメータセットは、下りリンクおよび上りリンクでそれぞれ独立に設定できる。
【００４６】
図６は、本実施形態におけるＮＲの下りリンクサブフレームの一例を示す図である。図６の例では、パラメータセット１、パラメータセット０およびパラメータセット２を用いて生成される信号が、セル（システム帯域幅）において、ＦＤＭされる。図６に示される図は、ＮＲの下りリンクリソースグリッドとも呼称される。基地局装置１は、端末装置２への下りリンクサブフレームにおいて、ＮＲの下りリンク物理チャネルおよび／またはＮＲの下りリンク物理信号を送信できる。端末装置２は、基地局装置１からの下りリンクサブフレームにおいて、ＮＲの下りリンク物理チャネルおよび／またはＮＲの下りリンク物理信号を受信できる。
【００４７】
図７は、本実施形態におけるＮＲの上りリンクサブフレームの一例を示す図である。図７の例では、パラメータセット１、パラメータセット０およびパラメータセット２を用いて生成される信号が、セル（システム帯域幅）において、ＦＤＭされる。図６に示される図は、ＮＲの上りリンクリソースグリッドとも呼称される。基地局装置１は、端末装置２への上りリンクサブフレームにおいて、ＮＲの上りリンク物理チャネルおよび／またはＮＲの上りリンク物理信号を送信できる。端末装置２は、基地局装置１からの上りリンクサブフレームにおいて、ＮＲの上りリンク物理チャネルおよび／またはＮＲの上りリンク物理信号を受信できる。
【００４８】
＜本実施形態におけるアンテナポート＞
アンテナポートは、あるシンボルを運ぶ伝搬チャネルが、同一のアンテナポートにおける別のシンボルを運ぶ伝搬チャネルから推測できるようにするために定義される。例えば、同一のアンテナポートにおける異なる物理リソースは、同一の伝搬チャネルで送信されていると想定できる。すなわち、あるアンテナポートにおけるシンボルは、そのアンテナポートにおける参照信号により伝搬チャネルを推定し、復調することができる。また、アンテナポート毎に１つのリソースグリッドがある。アンテナポートは、参照信号によって定義される。また、それぞれの参照信号は、複数のアンテナポートを定義できる。
アンテナポートはアンテナポート番号によって特定または識別される。例えば、アンテナポート０〜３は、ＣＲＳが送信されるアンテナポートである。すなわち、アンテナポート０〜３で送信されるＰＤＳＣＨは、アンテナポート０〜３に対応するＣＲＳで復調できる。
【００４９】
２つのアンテナポートは所定の条件を満たす場合、準同一位置（ＱＣＬ：Quasi  co-location）であると表すことができる。その所定の条件は、あるアンテナポートにおけるシンボルを運ぶ伝搬チャネルの広域的特性が、別のアンテナポートにおけるシンボルを運ぶ伝搬チャネルから推測できることである。広域的特性は、遅延分散、ドップラースプレッド、ドップラーシフト、平均利得および／または平均遅延を含む。
【００５０】
本実施形態において、アンテナポート番号は、ＲＡＴ毎に異なって定義されてもよいし、ＲＡＴ間で共通に定義されてもよい。例えば、ＬＴＥにおけるアンテナポート０〜３は、ＣＲＳが送信されるアンテナポートである。ＮＲにおいて、アンテナポート０〜３は、ＬＴＥと同様のＣＲＳが送信されるアンテナポートとすることができる。また、ＮＲにおいて、ＬＴＥと同様のＣＲＳが送信されるアンテナポートは、アンテナポート０〜３とは異なるアンテナポート番号とすることができる。本実施形態の説明において、所定のアンテナポート番号は、ＬＴＥおよび／またはＮＲに対して適用できる。
【００５１】
＜１．３．チャネルおよび信号＞
＜本実施形態における物理チャネルおよび物理信号＞
本実施形態において、物理チャネルおよび物理信号が用いられる。
物理チャネルは、下りリンク物理チャネル、上りリンク物理チャネルおよびサイドリンク物理チャネルを含む。物理信号は、下りリンク物理信号、上りリンク物理信号およびサイドリンク物理信号を含む。
ＬＴＥにおける物理チャネルおよび物理信号は、それぞれＬＴＥ物理チャネルおよびＬＴＥ物理信号とも呼称される。ＮＲにおける物理チャネルおよび物理信号は、それぞれＮＲ物理チャネルおよびＮＲ物理信号とも呼称される。ＬＴＥ物理チャネルおよびＮＲ物理チャネルは、それぞれ異なる物理チャネルとして定義できる。ＬＴＥ物理信号およびＮＲ物理信号は、それぞれ異なる物理信号として定義できる。本実施形態の説明において、ＬＴＥ物理チャネルおよびＮＲ物理チャネルは単に物理チャネルとも呼称され、ＬＴＥ物理信号およびＮＲ物理信号は単に物理信号とも呼称される。すなわち、物理チャネルに対する説明は、ＬＴＥ物理チャネルおよびＮＲ物理チャネルのいずれに対しても適用できる。物理信号に対する説明は、ＬＴＥ物理信号およびＮＲ物理信号のいずれに対しても適用できる。
【００５２】
＜本実施形態におけるＮＲ物理チャネルおよびＮＲ物理信号＞
ＬＴＥにおける物理チャネルおよび物理信号に対する説明は、それぞれＮＲ物理チャネルおよびＮＲ物理信号に対しても適用できる。ＮＲ物理チャネルおよびＮＲ物理信号は、以下のように呼称される。
【００５３】
ＮＲ下りリンク物理チャネルは、ＮＲ−ＰＢＣＨ、ＮＲ−ＰＣＦＩＣＨ、ＮＲ−ＰＨＩＣＨ、ＮＲ−ＰＤＣＣＨ、ＮＲ−ＥＰＤＣＣＨ、ＮＲ−ＭＰＤＣＣＨ、ＮＲ−Ｒ−ＰＤＣＣＨ、ＮＲ−ＰＤＳＣＨ、および、ＮＲ−ＰＭＣＨなどを含む。
【００５４】
ＮＲ下りリンク物理信号は、ＮＲ−ＳＳ、ＮＲ−ＤＬ−ＲＳおよびＮＲ−ＤＳなどを含む。ＮＲ−ＳＳは、ＮＲ−ＰＳＳおよびＮＲ−ＳＳＳなどを含む。ＮＲ−ＲＳは、ＮＲ−ＣＲＳ、ＮＲ−ＰＤＳＣＨ−ＤＭＲＳ、ＮＲ−ＥＰＤＣＣＨ−ＤＭＲＳ、ＮＲ−ＰＲＳ、ＮＲ−ＣＳＩ−ＲＳ、およびＮＲ−ＴＲＳなどを含む。
【００５５】
ＮＲ上りリンク物理チャネルは、ＮＲ−ＰＵＳＣＨ、ＮＲ−ＰＵＣＣＨ、およびＮＲ−ＰＲＡＣＨなどを含む。
【００５６】
ＮＲ上りリンク物理信号は、ＮＲ−ＵＬ−ＲＳを含む。ＮＲ−ＵＬ−ＲＳは、ＮＲ−ＵＬ−ＤＭＲＳおよびＮＲ−ＳＲＳなどを含む。
【００５７】
ＮＲサイドリンク物理チャネルは、ＮＲ−ＰＳＢＣＨ、ＮＲ−ＰＳＣＣＨ、ＮＲ−ＰＳＤＣＨ、およびＮＲ−ＰＳＳＣＨなどを含む。
【００５８】
＜本実施形態における下りリンク物理チャネル＞
ＰＢＣＨは、基地局装置１のサービングセルに固有の報知情報であるＭＩＢ（Master  Information  Block）を報知するために用いられる。ＰＢＣＨは無線フレーム内のサブフレーム０のみで送信される。ＭＩＢは、４０ｍｓ間隔で更新できる。ＰＢＣＨは１０ｍｓ周期で繰り返し送信される。具体的には、ＳＦＮ（System  Frame  Number）を４で割った余りが０である条件を満たす無線フレームにおけるサブフレーム０においてＭＩＢの初期送信が行なわれ、他の全ての無線フレームにおけるサブフレーム０においてＭＩＢの再送信（repetition）が行われる。ＳＦＮは無線フレームの番号（システムフレーム番号）である。ＭＩＢはシステム情報である。例えば、ＭＩＢは、ＳＦＮを示す情報を含む。
ＰＣＦＩＣＨは、ＰＤＣＣＨの送信に用いられるＯＦＤＭシンボルの数に関する情報を送信するために用いられる。ＰＣＦＩＣＨで示される領域は、ＰＤＣＣＨ領域とも呼称される。ＰＣＦＩＣＨで送信される情報は、ＣＦＩ（Control  Format  Indicator）とも呼称される。
【００５９】
ＰＨＩＣＨは、基地局装置１が受信した上りリンクデータ（Uplink  Shared  Channel:  UL-SCH）に対するＡＣＫ（ACKnowledgement）またはＮＡＣＫ（Negative  ACKnowledgement）を示すＨＡＲＱ−ＡＣＫ（ＨＡＲＱインディケータ、ＨＡＲＱフィードバック、応答情報）を送信するために用いられる。例えば、端末装置２がＡＣＫを示すＨＡＲＱ−ＡＣＫを受信した場合は、対応する上りリンクデータを再送しない。例えば、端末装置２がＮＡＣＫを示すＨＡＲＱ−ＡＣＫを受信した場合は、端末装置２は対応する上りリンクデータを所定の上りリンクサブフレームで再送する。あるＰＨＩＣＨは、ある上りリンクデータに対するＨＡＲＱ−ＡＣＫを送信する。基地局装置１は、同一のＰＵＳＣＨに含まれる複数の上りリンクデータに対するＨＡＲＱ−ＡＣＫのそれぞれを複数のＰＨＩＣＨを用いて送信する。
【００６０】
ＰＤＣＣＨおよびＥＰＤＣＣＨは、下りリンク制御情報（Downlink  Control  Information:  DCI）を送信するために用いられる。下りリンク制御情報の情報ビットのマッピングが、ＤＣＩフォーマットとして定義される。下りリンク制御情報は、下りリンクグラント（downlink  grant）および上りリンクグラント（uplink  grant）を含む。下りリンクグラントは、下りリンクアサインメント（downlink  assignment）または下りリンク割り当て（downlink  allocation）とも称する。
【００６１】
ＰＤＣＣＨは、連続する１つまたは複数のＣＣＥ（Control  Channel  Element）の集合によって送信される。ＣＣＥは、９つのＲＥＧ（Resource  Element  Group）で構成される。ＲＥＧは、４つのリソースエレメントで構成される。ＰＤＣＣＨがｎ個の連続するＣＣＥで構成される場合、そのＰＤＣＣＨは、ＣＣＥのインデックス（番号）であるｉをｎで割った余りが０である条件を満たすＣＣＥから始まる。
【００６２】
ＥＰＤＣＣＨは、連続する１つまたは複数のＥＣＣＥ（Enhanced  Control  Channel  Element）の集合によって送信される。ＥＣＣＥは、複数のＥＲＥＧ（Enhanced  Resource  Element  Group）で構成される。
【００６３】
下りリンクグラントは、あるセル内のＰＤＳＣＨのスケジューリングに用いられる。下りリンクグラントは、その下りリンクグラントが送信されたサブフレームと同じサブフレーム内のＰＤＳＣＨのスケジューリングに用いられる。上りリンクグラントは、あるセル内のＰＵＳＣＨのスケジューリングに用いられる。上りリンクグラントは、その上りリンクグラントが送信されたサブフレームより４つ以上後のサブフレーム内の単一のＰＵＳＣＨのスケジューリングに用いられる。
【００６４】
ＤＣＩには、ＣＲＣ（Cyclic  Redundancy  Check）パリティビットが付加される。ＣＲＣパリティビットは、ＲＮＴＩ（Radio  Network  Temporary  Identifier）でスクランブルされる。ＲＮＴＩは、ＤＣＩの目的などに応じて、規定または設定できる識別子である。ＲＮＴＩは、仕様で予め規定される識別子、セルに固有の情報として設定される識別子、端末装置２に固有の情報として設定される識別子、または、端末装置２に属するグループに固有の情報として設定される識別子である。例えば、端末装置２は、ＰＤＣＣＨまたはＥＰＤＣＣＨのモニタリングにおいて、ＤＣＩに付加されたＣＲＣパリティビットに所定のＲＮＴＩでデスクランブルし、ＣＲＣが正しいかどうかを識別する。ＣＲＣが正しい場合、そのＤＣＩは端末装置２のためのＤＣＩであることが分かる。
【００６５】
ＰＤＳＣＨは、下りリンクデータ（Downlink  Shared  Channel:  DL-SCH）を送信するために用いられる。また、ＰＤＳＣＨは、上位層の制御情報を送信するためにも用いられる。
【００６６】
ＰＭＣＨは、マルチキャストデータ（Multicast  Channel:  MCH）を送信するために用いられる。
【００６７】
ＰＤＣＣＨ領域において、複数のＰＤＣＣＨが周波数、時間、および／または、空間多重されてもよい。ＥＰＤＣＣＨ領域において、複数のＥＰＤＣＣＨが周波数、時間、および／または、空間多重されてもよい。ＰＤＳＣＨ領域において、複数のＰＤＳＣＨが周波数、時間、および／または、空間多重されてもよい。ＰＤＣＣＨ、ＰＤＳＣＨおよび／またはＥＰＤＣＣＨは周波数、時間、および／または、空間多重されてもよい。
【００６８】
＜本実施形態における下りリンク物理信号＞
同期信号は、端末装置２が下りリンクの周波数領域および／または時間領域の同期をとるために用いられる。同期信号は、ＰＳＳ（Primary  Synchronization  Signal）およびＳＳＳ（Secondary  Synchronization  Signal）を含む。同期信号は無線フレーム内の所定のサブフレームに配置される。例えば、ＴＤＤ方式において、同期信号は無線フレーム内のサブフレーム０、１、５、および６に配置される。ＦＤＤ方式において、同期信号は無線フレーム内のサブフレーム０および５に配置される。
【００６９】
ＰＳＳは、粗いフレーム／シンボルタイミング同期（時間領域の同期）やセル識別グループの識別に用いられてもよい。ＳＳＳは、より正確なフレームタイミング同期やセルの識別、ＣＰ長の検出に用いられてもよい。つまり、ＰＳＳとＳＳＳを用いることによって、フレームタイミング同期とセル識別を行うことができる。
【００７０】
下りリンク参照信号は、端末装置２が下りリンク物理チャネルの伝搬路推定、伝搬路補正、下りリンクのＣＳＩ（Channel  State  Information、チャネル状態情報）の算出、および／または、端末装置２のポジショニングの測定を行うために用いられる。
【００７１】
ＣＲＳは、サブフレームの全帯域で送信される。ＣＲＳは、ＰＢＣＨ、ＰＤＣＣＨ、ＰＨＩＣＨ、ＰＣＦＩＣＨ、およびＰＤＳＣＨの受信（復調）を行うために用いられる。ＣＲＳは、端末装置２が下りリンクのチャネル状態情報を算出するために用いられてもよい。ＰＢＣＨ、ＰＤＣＣＨ、ＰＨＩＣＨ、およびＰＣＦＩＣＨは、ＣＲＳの送信に用いられるアンテナポートで送信される。ＣＲＳは、１、２または４のアンテナポートの構成をサポートする。ＣＲＳは、アンテナポート０〜３の１つまたは複数で送信される。
【００７２】
ＰＤＳＣＨに関連するＵＲＳは、ＵＲＳが関連するＰＤＳＣＨの送信に用いられるサブフレームおよび帯域で送信される。ＵＲＳは、ＵＲＳが関連するＰＤＳＣＨの復調を行なうために用いられる。ＰＤＳＣＨに関連するＵＲＳは、アンテナポート５、７〜１４の１つまたは複数で送信される。
【００７３】
ＰＤＳＣＨは、送信モードおよびＤＣＩフォーマットに基づいて、ＣＲＳまたはＵＲＳの送信に用いられるアンテナポートで送信される。ＤＣＩフォーマット１Ａは、ＣＲＳの送信に用いられるアンテナポートで送信されるＰＤＳＣＨのスケジューリングに用いられる。ＤＣＩフォーマット２Ｄは、ＵＲＳの送信に用いられるアンテナポートで送信されるＰＤＳＣＨのスケジューリングに用いられる。
【００７４】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。ＥＰＤＣＣＨは、ＤＭＲＳの送信に用いられるアンテナポートで送信される。ＥＰＤＣＣＨに関連するＤＭＲＳは、アンテナポート１０７〜１１４の１つまたは複数で送信される。
【００７５】
ＣＳＩ−ＲＳは、設定されたサブフレームで送信される。ＣＳＩ−ＲＳが送信されるリソースは、基地局装置１によって設定される。ＣＳＩ−ＲＳは、端末装置２が下りリンクのチャネル状態情報を算出するために用いられる。端末装置２は、ＣＳＩ−ＲＳを用いて信号測定（チャネル測定）を行う。ＣＳＩ−ＲＳは、１、２、４、８、１２、１６、２４および３２の一部または全部のアンテナポートの設定をサポートする。ＣＳＩ−ＲＳは、アンテナポート１５〜４６の１つまたは複数で送信される。なお、サポートされるアンテナポートは、端末装置２の端末装置ケイパビリティ、ＲＲＣパラメータの設定、および／または設定される送信モードなどに基づいて決定されてもよい。
【００７６】
ＺＰ  ＣＳＩ−ＲＳのリソースは、上位層によって設定される。ＺＰ  ＣＳＩ−ＲＳのリソースはゼロ出力の電力で送信されてもよい。すなわち、ＺＰ  ＣＳＩ−ＲＳのリソースは何も送信しなくてもよい。ＺＰ  ＣＳＩ−ＲＳの設定したリソースにおいて、ＰＤＳＣＨおよびＥＰＤＣＣＨは送信されない。例えば、ＺＰ  ＣＳＩ−ＲＳのリソースは隣接セルがＮＺＰ  ＣＳＩ−ＲＳの送信を行うために用いられる。また、例えば、ＺＰ  ＣＳＩ−ＲＳのリソースはＣＳＩ−ＩＭを測定するために用いられる。また、例えば、ＺＰ  ＣＳＩ−ＲＳのリソースはＰＤＳＣＨなどの所定のチャネルが送信されないリソースである。換言すると、所定のチャネルは、ＺＰ  ＣＳＩ−ＲＳのリソースを除いて（レートマッチングして、パンクチャして）マッピングされる。
【００７７】
＜本実施形態における上りリンク物理チャネル＞
ＰＵＣＣＨは、上りリンク制御情報（Uplink  Control  Information:  UCI）を送信するために用いられる物理チャネルである。上りリンク制御情報は、下りリンクのチャネル状態情報（Channel  State  Information:  CSI）、ＰＵＳＣＨリソースの要求を示すスケジューリング要求（Scheduling  Request:  SR）、下りリンクデータ（Transport  block:  TB,  Downlink-Shared  Channel:  DL-SCH）に対するＨＡＲＱ−ＡＣＫを含む。ＨＡＲＱ−ＡＣＫは、ＡＣＫ／ＮＡＣＫ、ＨＡＲＱフィードバック、または、応答情報とも称される。また、下りリンクデータに対するＨＡＲＱ−ＡＣＫは、ＡＣＫ、ＮＡＣＫ、またはＤＴＸを示す。
【００７８】
ＰＵＳＣＨは、上りリンクデータ（Uplink-Shared  Channel:  UL-SCH）を送信するために用いられる物理チャネルである。また、ＰＵＳＣＨは、上りリンクデータと共にＨＡＲＱ−ＡＣＫおよび／またはチャネル状態情報を送信するために用いられてもよい。また、ＰＵＳＣＨは、チャネル状態情報のみ、または、ＨＡＲＱ−ＡＣＫおよびチャネル状態情報のみを送信するために用いられてもよい。
【００７９】
ＰＲＡＣＨは、ランダムアクセスプリアンブルを送信するために用いられる物理チャネルである。ＰＲＡＣＨは、端末装置２が基地局装置１と時間領域の同期をとるために用いられることができる。また、ＰＲＡＣＨは、初期コネクション構築（initial  connection  establishment）手続き（処理）、ハンドオーバ手続き、コネクション再構築（connection  re-establishment）手続き、上りリンク送信に対する同期（タイミング調整）、および／または、ＰＵＳＣＨリソースの要求を示すためにも用いられる。
【００８０】
ＰＵＣＣＨ領域において、複数のＰＵＣＣＨが周波数、時間、空間および／またはコード多重される。ＰＵＳＣＨ領域において、複数のＰＵＳＣＨが周波数、時間、空間および／またはコード多重されてもよい。ＰＵＣＣＨおよびＰＵＳＣＨは周波数、時間、空間および／またはコード多重されてもよい。ＰＲＡＣＨは単一のサブフレームまたは２つのサブフレームにわたって配置されてもよい。複数のＰＲＡＣＨが符号多重されてもよい。
【００８１】
＜本実施形態における制御チャネルのための物理リソース＞
リソースエレメントグループ（ＲＥＧ：Resource  Element  Group）は、リソースエレメントと制御チャネルのマッピングを定義するために用いられる。例えば、ＲＥＧは、ＰＤＣＣＨ、ＰＨＩＣＨ、またはＰＣＦＩＣＨのマッピングに用いられる。ＲＥＧは、同一のＯＦＤＭシンボル内であり、同一のリソースブロック内において、ＣＲＳのために用いられない４つの連続したリソースエレメントで構成される。また、ＲＥＧは、あるサブフレーム内の１番目のスロットにおける１番目のＯＦＤＭシンボルから４番目のＯＦＤＭシンボルの中で構成される。
【００８２】
拡張リソースエレメントグループ（ＥＲＥＧ：Enhanced  Resource  Element  Group）は、リソースエレメントと拡張制御チャネルのマッピングを定義するために用いられる。例えば、ＥＲＥＧは、ＥＰＤＣＣＨのマッピングに用いられる。１つのリソースブロックペアは１６のＥＲＥＧで構成される。それぞれのＥＲＥＧはリソースブロックペア毎に０から１５の番号が付される。それぞれのＥＲＥＧは、１つのリソースブロックペアにおいて、ＥＰＤＣＣＨに関連付けられたＤＭ−ＲＳのために用いられるリソースエレメントを除いた９つのリソースエレメントで構成される。
【００８３】
＜１．４．構成＞
＜本実施形態における基地局装置１の構成例＞
図８は、本実施形態の基地局装置１の構成を示す概略ブロック図である。図示するように、基地局装置１は、上位層処理部１０１、制御部１０３、受信部１０５、送信部１０７、および、送受信アンテナ１０９、を含んで構成される。また、受信部１０５は、復号化部１０５１、復調部１０５３、多重分離部１０５５、無線受信部１０５７、およびチャネル測定部１０５９を含んで構成される。また、送信部１０７は、符号化部１０７１、変調部１０７３、多重部１０７５、無線送信部１０７７、および下りリンク参照信号生成部１０７９を含んで構成される。
【００８４】
既に説明したように、基地局装置１は、１つ以上のＲＡＴをサポートできる。図８に示す基地局装置１に含まれる各部の一部または全部は、ＲＡＴに応じて個別に構成されうる。例えば、受信部１０５および送信部１０７は、ＬＴＥとＮＲとで個別に構成される。また、ＮＲセルにおいて、図８に示す基地局装置１に含まれる各部の一部または全部は、送信信号に関するパラメータセットに応じて個別に構成されうる。例えば、あるＮＲセルにおいて、無線受信部１０５７および無線送信部１０７７は、送信信号に関するパラメータセットに応じて個別に構成されうる。
【００８５】
上位層処理部１０１は、媒体アクセス制御（MAC:  Medium  Access  Control）層、パケットデータ統合プロトコル（Packet  Data  Convergence  Protocol:  PDCP）層、無線リンク制御（Radio  Link  Control:  RLC）層、無線リソース制御（Radio  Resource  Control:  RRC）層の処理を行う。また、上位層処理部１０１は、受信部１０５、および送信部１０７の制御を行うために制御情報を生成し、制御部１０３に出力する。
【００８６】
制御部１０３は、上位層処理部１０１からの制御情報に基づいて、受信部１０５および送信部１０７の制御を行う。制御部１０３は、上位層処理部１０１への制御情報を生成し、上位層処理部１０１に出力する。制御部１０３は、復号化部１０５１からの復号化された信号およびチャネル測定部１０５９からのチャネル推定結果を入力する。制御部１０３は、符号化する信号を符号化部１０７１へ出力する。また、制御部１０３は、基地局装置１の全体または一部を制御するために用いられる。
【００８７】
上位層処理部１０１は、ＲＡＴ制御、無線リソース制御、サブフレーム設定、スケジューリング制御、および／または、ＣＳＩ報告制御に関する処理および管理を行う。上位層処理部１０１における処理および管理は、端末装置毎、または基地局装置に接続している端末装置共通に行われる。上位層処理部１０１における処理および管理は、上位層処理部１０１のみで行われてもよいし、上位ノードまたは他の基地局装置から取得してもよい。また、上位層処理部１０１における処理および管理は、ＲＡＴに応じて個別に行われてもよい。例えば、上位層処理部１０１は、ＬＴＥにおける処理および管理と、ＮＲにおける処理および管理とを個別に行う。
【００８８】
上位層処理部１０１におけるＲＡＴ制御では、ＲＡＴに関する管理が行われる。例えば、ＲＡＴ制御では、ＬＴＥに関する管理および／またはＮＲに関する管理が行われる。ＮＲに関する管理は、ＮＲセルにおける送信信号に関するパラメータセットの設定および処理を含む。
【００８９】
上位層処理部１０１における無線リソース制御では、下りリンクデータ（トランスポートブロック）、システムインフォメーション、ＲＲＣメッセージ（ＲＲＣパラメータ）、および／または、ＭＡＣ制御エレメント（ＣＥ：Control  Element）の生成および／または管理が行われる。
【００９０】
上位層処理部１０１におけるサブフレーム設定では、サブフレーム設定、サブフレームパターン設定、上りリンク−下りリンク設定、上りリンク参照ＵＬ−ＤＬ設定、および／または、下りリンク参照ＵＬ−ＤＬ設定の管理が行われる。なお、上位層処理部１０１におけるサブフレーム設定は、基地局サブフレーム設定とも呼称される。また、上位層処理部１０１におけるサブフレーム設定は、上りリンクのトラフィック量および下りリンクのトラフィック量に基づいて決定できる。また、上位層処理部１０１におけるサブフレーム設定は、上位層処理部１０１におけるスケジューリング制御のスケジューリング結果に基づいて決定できる。
【００９１】
上位層処理部１０１におけるスケジューリング制御では、受信したチャネル状態情報およびチャネル測定部１０５９から入力された伝搬路の推定値やチャネルの品質などに基づいて、物理チャネルを割り当てる周波数およびサブフレーム、物理チャネルの符号化率および変調方式および送信電力などが決定される。例えば、制御部１０３は、上位層処理部１０１におけるスケジューリング制御のスケジューリング結果に基づいて、制御情報（ＤＣＩフォーマット）を生成する。
【００９２】
上位層処理部１０１におけるＣＳＩ報告制御では、端末装置２のＣＳＩ報告が制御される。例えば、端末装置２においてＣＳＩを算出するために想定するためのＣＳＩ参照リソースに関する設定が制御される。
【００９３】
受信部１０５は、制御部１０３からの制御に従って、送受信アンテナ１０９を介して端末装置２から送信された信号を受信し、さらに分離、復調、復号などの受信処理を行い、受信処理された情報を制御部１０３に出力する。なお、受信部１０５における受信処理は、あらかじめ規定された設定、または基地局装置１が端末装置２に通知した設定に基づいて行われる。
【００９４】
無線受信部１０５７は、送受信アンテナ１０９を介して受信された上りリンクの信号に対して、中間周波数への変換（ダウンコンバート）、不要な周波数成分の除去、信号レベルが適切に維持されるように増幅レベルの制御、受信された信号の同相成分および直交成分に基づく直交復調、アナログ信号からディジタル信号への変換、ガードインターバル（Guard  Interval:  GI）の除去、および／または、高速フーリエ変換（Fast  Fourier  Transform:  FFT）による周波数領域信号の抽出を行う。
【００９５】
多重分離部１０５５は、無線受信部１０５７から入力された信号から、ＰＵＣＣＨまたはＰＵＳＣＨなどの上りリンクチャネルおよび／または上りリンク参照信号を分離する。多重分離部１０５５は、上りリンク参照信号をチャネル測定部１０５９に出力する。多重分離部１０５５は、チャネル測定部１０５９から入力された伝搬路の推定値から、上りリンクチャネルに対する伝搬路の補償を行う。
【００９６】
復調部１０５３は、上りリンクチャネルの変調シンボルに対して、ＢＰＳＫ（Binary  Phase  Shift  Keying）、ＱＰＳＫ（Quadrature  Phase  shift  Keying）、１６ＱＡＭ（Quadrature  Amplitude  Modulation）、６４ＱＡＭ、２５６ＱＡＭ等の変調方式を用いて受信信号の復調を行う。復調部１０５３は、ＭＩＭＯ多重された上りリンクチャネルの分離および復調を行う。
【００９７】
復号化部１０５１は、復調された上りリンクチャネルの符号化ビットに対して、復号処理を行う。復号された上りリンクデータおよび／または上りリンク制御情報は制御部１０３へ出力される。復号化部１０５１は、ＰＵＳＣＨに対しては、トランスポートブロック毎に復号処理を行う。
【００９８】
チャネル測定部１０５９は、多重分離部１０５５から入力された上りリンク参照信号から伝搬路の推定値および／またはチャネルの品質などを測定し、多重分離部１０５５および／または制御部１０３に出力する。例えば、チャネル測定部１０５９は、ＵＬ−ＤＭＲＳを用いてＰＵＣＣＨまたはＰＵＳＣＨに対する伝搬路補償を行うための伝搬路の推定値を測定し、ＳＲＳを用いて上りリンクにおけるチャネルの品質を測定する。
【００９９】
送信部１０７は、制御部１０３からの制御に従って、上位層処理部１０１から入力された下りリンク制御情報および下りリンクデータに対して、符号化、変調および多重などの送信処理を行う。例えば、送信部１０７は、ＰＨＩＣＨ、ＰＤＣＣＨ、ＥＰＤＣＣＨ、ＰＤＳＣＨ、および下りリンク参照信号を生成および多重し、送信信号を生成する。なお、送信部１０７における送信処理は、あらかじめ規定された設定、基地局装置１が端末装置２に通知した設定、または、同一のサブフレームで送信されるＰＤＣＣＨまたはＥＰＤＣＣＨを通じて通知される設定に基づいて行われる。
【０１００】
符号化部１０７１は、制御部１０３から入力されたＨＡＲＱインディケータ（ＨＡＲＱ−ＡＣＫ）、下りリンク制御情報、および下りリンクデータを、ブロック符号化、畳込み符号化、ターボ符号化等の所定の符号化方式を用いて符号化を行う。変調部１０７３は、符号化部１０７１から入力された符号化ビットをＢＰＳＫ、ＱＰＳＫ、１６ＱＡＭ、６４ＱＡＭ、２５６ＱＡＭ等の所定の変調方式で変調する。下りリンク参照信号生成部１０７９は、物理セル識別子（ＰＣＩ：Physical  cell  identification）、端末装置２に設定されたＲＲＣパラメータなどに基づいて、下りリンク参照信号を生成する。多重部１０７５は、各チャネルの変調シンボルと下りリンク参照信号を多重し、所定のリソースエレメントに配置する。
【０１０１】
無線送信部１０７７は、多重部１０７５からの信号に対して、逆高速フーリエ変換（Inverse  Fast  Fourier  Transform:  IFFT）による時間領域の信号への変換、ガードインターバルの付加、ベースバンドのディジタル信号の生成、アナログ信号への変換、直交変調、中間周波数の信号から高周波数の信号への変換（アップコンバート:  up  convert）、余分な周波数成分の除去、電力の増幅などの処理を行い、送信信号を生成する。無線送信部１０７７が出力した送信信号は、送受信アンテナ１０９から送信される。
【０１０２】
＜本実施形態における端末装置２の構成例＞
図９は、本実施形態の端末装置２の構成を示す概略ブロック図である。図示するように、端末装置２は、上位層処理部２０１、制御部２０３、受信部２０５、送信部２０７、および送受信アンテナ２０９を含んで構成される。また、受信部２０５は、復号化部２０５１、復調部２０５３、多重分離部２０５５、無線受信部２０５７、およびチャネル測定部２０５９を含んで構成される。また、送信部２０７は、符号化部２０７１、変調部２０７３、多重部２０７５、無線送信部２０７７、および上りリンク参照信号生成部２０７９を含んで構成される。
【０１０３】
既に説明したように、端末装置２は、１つ以上のＲＡＴをサポートできる。図９に示す端末装置２に含まれる各部の一部または全部は、ＲＡＴに応じて個別に構成されうる。例えば、受信部２０５および送信部２０７は、ＬＴＥとＮＲとで個別に構成される。また、ＮＲセルにおいて、図９に示す端末装置２に含まれる各部の一部または全部は、送信信号に関するパラメータセットに応じて個別に構成されうる。例えば、あるＮＲセルにおいて、無線受信部２０５７および無線送信部２０７７は、送信信号に関するパラメータセットに応じて個別に構成されうる。
【０１０４】
上位層処理部２０１は、上りリンクデータ（トランスポートブロック）を、制御部２０３に出力する。上位層処理部２０１は、媒体アクセス制御（MAC:  Medium  Access  Control）層、パケットデータ統合プロトコル（Packet  Data  Convergence  Protocol:  PDCP）層、無線リンク制御（Radio  Link  Control:  RLC）層、無線リソース制御（Radio  Resource  Control:  RRC）層の処理を行なう。また、上位層処理部２０１は、受信部２０５、および送信部２０７の制御を行うために制御情報を生成し、制御部２０３に出力する。
【０１０５】
制御部２０３は、上位層処理部２０１からの制御情報に基づいて、受信部２０５および送信部２０７の制御を行う。制御部２０３は、上位層処理部２０１への制御情報を生成し、上位層処理部２０１に出力する。制御部２０３は、復号化部２０５１からの復号化された信号およびチャネル測定部２０５９からのチャネル推定結果を入力する。制御部２０３は、符号化する信号を符号化部２０７１へ出力する。また、制御部２０３は、端末装置２の全体または一部を制御するために用いられてもよい。
【０１０６】
上位層処理部２０１は、ＲＡＴ制御、無線リソース制御、サブフレーム設定、スケジューリング制御、および／または、ＣＳＩ報告制御に関する処理および管理を行う。上位層処理部２０１における処理および管理は、あらかじめ規定される設定、および／または、基地局装置１から設定または通知される制御情報に基づく設定に基づいて行われる。例えば、基地局装置１からの制御情報は、ＲＲＣパラメータ、ＭＡＣ制御エレメントまたはＤＣＩを含む。また、上位層処理部２０１における処理および管理は、ＲＡＴに応じて個別に行われてもよい。例えば、上位層処理部２０１は、ＬＴＥにおける処理および管理と、ＮＲにおける処理および管理とを個別に行う。
【０１０７】
上位層処理部２０１におけるＲＡＴ制御では、ＲＡＴに関する管理が行われる。例えば、ＲＡＴ制御では、ＬＴＥに関する管理および／またはＮＲに関する管理が行われる。ＮＲに関する管理は、ＮＲセルにおける送信信号に関するパラメータセットの設定および処理を含む。
【０１０８】
上位層処理部２０１における無線リソース制御では、自装置における設定情報の管理が行われる。上位層処理部２０１における無線リソース制御では、上りリンクデータ（トランスポートブロック）、システムインフォメーション、ＲＲＣメッセージ（ＲＲＣパラメータ）、および／または、ＭＡＣ制御エレメント（ＣＥ：Control  Element）の生成および／または管理が行われる。
【０１０９】
上位層処理部２０１におけるサブフレーム設定では、基地局装置１および／または基地局装置１とは異なる基地局装置におけるサブフレーム設定が管理される。サブフレーム設定は、サブフレームに対する上りリンクまたは下りリンクの設定、サブフレームパターン設定、上りリンク−下りリンク設定、上りリンク参照ＵＬ−ＤＬ設定、および／または、下りリンク参照ＵＬ−ＤＬ設定を含む。なお、上位層処理部２０１におけるサブフレーム設定は、端末サブフレーム設定とも呼称される。
【０１１０】
上位層処理部２０１におけるスケジューリング制御では、基地局装置１からのＤＣＩ（スケジューリング情報）に基づいて、受信部２０５および送信部２０７に対するスケジューリングに関する制御を行うための制御情報が生成される。
【０１１１】
上位層処理部２０１におけるＣＳＩ報告制御では、基地局装置１に対するＣＳＩの報告に関する制御が行われる。例えば、ＣＳＩ報告制御では、チャネル測定部２０５９でＣＳＩを算出するために想定するためのＣＳＩ参照リソースに関する設定が制御される。ＣＳＩ報告制御では、ＤＣＩおよび／またはＲＲＣパラメータに基づいて、ＣＳＩを報告するために用いられるリソース（タイミング）を制御する。
【０１１２】
受信部２０５は、制御部２０３からの制御に従って、送受信アンテナ２０９を介して基地局装置１から送信された信号を受信し、さらに分離、復調、復号などの受信処理を行い、受信処理された情報を制御部２０３に出力する。なお、受信部２０５における受信処理は、あらかじめ規定された設定、または基地局装置１からの通知または設定に基づいて行われる。
【０１１３】
無線受信部２０５７は、送受信アンテナ２０９を介して受信された上りリンクの信号に対して、中間周波数への変換（ダウンコンバート）、不要な周波数成分の除去、信号レベルが適切に維持されるように増幅レベルの制御、受信された信号の同相成分および直交成分に基づく直交復調、アナログ信号からディジタル信号への変換、ガードインターバル（Guard  Interval:  GI）の除去、および／または、高速フーリエ変換（Fast  Fourier  Transform:  FFT）による周波数領域の信号の抽出を行う。
【０１１４】
多重分離部２０５５は、無線受信部２０５７から入力された信号から、ＰＨＩＣＨ、ＰＤＣＣＨ、ＥＰＤＣＣＨまたはＰＤＳＣＨなどの下りリンクチャネル、下りリンク同期信号および／または下りリンク参照信号を分離する。多重分離部２０５５は、下りリンク参照信号をチャネル測定部２０５９に出力する。多重分離部２０５５は、チャネル測定部２０５９から入力された伝搬路の推定値から、下りリンクチャネルに対する伝搬路の補償を行う。
【０１１５】
復調部２０５３は、下りリンクチャネルの変調シンボルに対して、ＢＰＳＫ、ＱＰＳＫ、１６ＱＡＭ、６４ＱＡＭ、２５６ＱＡＭ等の変調方式を用いて受信信号の復調を行う。復調部２０５３は、ＭＩＭＯ多重された下りリンクチャネルの分離および復調を行う。
【０１１６】
復号化部２０５１は、復調された下りリンクチャネルの符号化ビットに対して、復号処理を行う。復号された下りリンクデータおよび／または下りリンク制御情報は制御部２０３へ出力される。復号化部２０５１は、ＰＤＳＣＨに対しては、トランスポートブロック毎に復号処理を行う。
【０１１７】
チャネル測定部２０５９は、多重分離部２０５５から入力された下りリンク参照信号から伝搬路の推定値および／またはチャネルの品質などを測定し、多重分離部２０５５および／または制御部２０３に出力する。チャネル測定部２０５９が測定に用いる下りリンク参照信号は、少なくともＲＲＣパラメータによって設定される送信モードおよび／または他のＲＲＣパラメータに基づいて決定されてもよい。例えば、ＤＬ−ＤＭＲＳはＰＤＳＣＨまたはＥＰＤＣＣＨに対する伝搬路補償を行うための伝搬路の推定値を測定する。ＣＲＳはＰＤＣＣＨまたはＰＤＳＣＨに対する伝搬路補償を行うための伝搬路の推定値、および／または、ＣＳＩを報告するための下りリンクにおけるチャネルを測定する。ＣＳＩ−ＲＳは、ＣＳＩを報告するための下りリンクにおけるチャネルを測定する。チャネル測定部２０５９は、ＣＲＳ、ＣＳＩ−ＲＳまたは検出信号に基づいて、ＲＳＲＰ（Reference  Signal  Received  Power）および／またはＲＳＲＱ（Reference  Signal  Received  Quality）を算出し、上位層処理部２０１へ出力する。
【０１１８】
送信部２０７は、制御部２０３からの制御に従って、上位層処理部２０１から入力された上りリンク制御情報および上りリンクデータに対して、符号化、変調および多重などの送信処理を行う。例えば、送信部２０７は、ＰＵＳＣＨまたはＰＵＣＣＨなどの上りリンクチャネルおよび／または上りリンク参照信号を生成および多重し、送信信号を生成する。なお、送信部２０７における送信処理は、あらかじめ規定された設定、または、基地局装置１から設定または通知に基づいて行われる。
【０１１９】
符号化部２０７１は、制御部２０３から入力されたＨＡＲＱインディケータ（ＨＡＲＱ−ＡＣＫ）、上りリンク制御情報、および上りリンクデータを、ブロック符号化、畳込み符号化、ターボ符号化等の所定の符号化方式を用いて符号化を行う。変調部２０７３は、符号化部２０７１から入力された符号化ビットをＢＰＳＫ、ＱＰＳＫ、１６ＱＡＭ、６４ＱＡＭ、２５６ＱＡＭ等の所定の変調方式で変調する。上りリンク参照信号生成部２０７９は、端末装置２に設定されたＲＲＣパラメータなどに基づいて、上りリンク参照信号を生成する。多重部２０７５は、各チャネルの変調シンボルと上りリンク参照信号を多重し、所定のリソースエレメントに配置する。
【０１２０】
無線送信部２０７７は、多重部２０７５からの信号に対して、逆高速フーリエ変換（Inverse  Fast  Fourier  Transform:  IFFT）による時間領域の信号への変換、ガードインターバルの付加、ベースバンドのディジタル信号の生成、アナログ信号への変換、直交変調、中間周波数の信号から高周波数の信号への変換（アップコンバート:  up  convert）、余分な周波数成分の除去、電力の増幅などの処理を行い、送信信号を生成する。無線送信部２０７７が出力した送信信号は、送受信アンテナ２０９から送信される。
【０１２１】
＜１．５．制御情報および制御チャネル＞
＜本実施形態における制御情報のシグナリング＞
基地局装置１および端末装置２は、それぞれ制御情報のシグナリング（通知、報知、設定）のために、様々な方法を用いることができる。制御情報のシグナリングは、様々な層（レイヤー）で行うことができる。制御情報のシグナリングは、物理層（レイヤー）を通じたシグナリングである物理層シグナリング、ＲＲＣ層を通じたシグナリングであるＲＲＣシグナリング、および、ＭＡＣ層を通じたシグナリングであるＭＡＣシグナリングなどを含む。ＲＲＣシグナリングは、端末装置２に固有の制御情報を通知する専用のＲＲＣシグナリング（Dedicated  RRC  signaling）、または、基地局装置１に固有の制御情報を通知する共通のＲＲＣシグナリング（Common  RRC  signaling）である。ＲＲＣシグナリングやＭＡＣシグナリングなど、物理層から見て上位の層が用いるシグナリングは上位層シグナリングとも呼称される。
【０１２２】
ＲＲＣシグナリングは、ＲＲＣパラメータをシグナリングすることにより実現される。ＭＡＣシグナリングは、ＭＡＣ制御エレメントをシグナリングすることにより実現される。物理層シグナリングは、下りリンク制御情報（ＤＣＩ：Downlink  Control  Information）または上りリンクリンク制御情報（ＵＣＩ：Uplink  Control  Information）をシグナリングすることにより実現される。ＲＲＣパラメータおよびＭＡＣ制御エレメントは、ＰＤＳＣＨまたはＰＵＳＣＨを用いて送信される。ＤＣＩは、ＰＤＣＣＨまたはＥＰＤＣＣＨを用いて送信される。ＵＣＩは、ＰＵＣＣＨまたはＰＵＳＣＨを用いて送信される。ＲＲＣシグナリングおよびＭＡＣシグナリングは、準静的（semi-static）な制御情報をシグナリングするために用いられ、準静的シグナリングとも呼称される。物理層シグナリングは、動的（dynamic）な制御情報をシグナリングするために用いられ、動的シグナリングとも呼称される。ＤＣＩは、ＰＤＳＣＨのスケジューリングまたはＰＵＳＣＨのスケジューリングなどのために用いられる。ＵＣＩは、ＣＳＩ報告、ＨＡＲＱ−ＡＣＫ報告、および／またはスケジューリング要求（ＳＲ：Scheduling  Request）などのために用いられる。
【０１２３】
＜本実施形態における下りリンク制御情報の詳細＞
ＤＣＩはあらかじめ規定されるフィールドを有するＤＣＩフォーマットを用いて通知される。ＤＣＩフォーマットに規定されるフィールドは、所定の情報ビットがマッピングされる。ＤＣＩは、下りリンクスケジューリング情報、上りリンクスケジューリング情報、サイドリンクスケジューリング情報、非周期的ＣＳＩ報告の要求、または、上りリンク送信電力コマンドを通知する。
【０１２４】
端末装置２がモニタするＤＣＩフォーマットは、サービングセル毎に設定された送信モードによって決まる。すなわち、端末装置２がモニタするＤＣＩフォーマットの一部は、送信モードによって異なることができる。例えば、下りリンク送信モード１が設定された端末装置２は、ＤＣＩフォーマット１ＡとＤＣＩフォーマット１をモニタする。例えば、下りリンク送信モード４が設定された端末装置２は、ＤＣＩフォーマット１ＡとＤＣＩフォーマット２をモニタする。例えば、上りリンク送信モード１が設定された端末装置２は、ＤＣＩフォーマット０をモニタする。例えば、上りリンク送信モード２が設定された端末装置２は、ＤＣＩフォーマット０とＤＣＩフォーマット４をモニタする。
【０１２５】
端末装置２に対するＤＣＩを通知するＰＤＣＣＨが配置される制御領域は通知されず、端末装置２は端末装置２に対するＤＣＩをブラインドデコーディング（ブラインド検出）により検出する。具体的には、端末装置２は、サービングセルにおいて、ＰＤＣＣＨ候補のセットをモニタする。モニタリングは、そのセットの中のＰＤＣＣＨのそれぞれに対して、全てのモニタされるＤＣＩフォーマットによって復号を試みることを意味する。例えば、端末装置２は、端末装置２宛に送信される可能性がある全てのアグリゲーションレベル、ＰＤＣＣＨ候補、および、ＤＣＩフォーマットについてデコードを試みる。端末装置２は、デコード（検出）が成功したＤＣＩ（ＰＤＣＣＨ）を端末装置２に対するＤＣＩ（ＰＤＣＣＨ）として認識する。
【０１２６】
ＤＣＩに対して、巡回冗長検査（ＣＲＣ:  Cyclic  Redundancy  Check）が付加される。ＣＲＣは、ＤＣＩのエラー検出およびＤＣＩのブラインド検出のために用いられる。ＣＲＣ（ＣＲＣパリティビット）は、ＲＮＴＩ（Radio  Network  Temporary  Identifier）によってスクランブルされる。端末装置２は、ＲＮＴＩに基づいて、端末装置２に対するＤＣＩかどうかを検出する。具体的には、端末装置２は、ＣＲＣに対応するビットに対して、所定のＲＮＴＩでデスクランブルを行い、ＣＲＣを抽出し、対応するＤＣＩが正しいかどうかを検出する。
【０１２７】
ＲＮＴＩは、ＤＣＩの目的や用途に応じて規定または設定される。ＲＮＴＩは、Ｃ−ＲＮＴＩ（Cell-RNTI）、ＳＰＳ  Ｃ−ＲＮＴＩ（Semi  Persistent  Scheduling  C-RNTI）、ＳＩ−ＲＮＴＩ（System  Information-RNTI）、Ｐ−ＲＮＴＩ（Paging-RNTI）、ＲＡ−ＲＮＴＩ（Random  Access-RNTI）、ＴＰＣ−ＰＵＣＣＨ−ＲＮＴＩ（Transmit  Power  Control-PUCCH-RNTI）、ＴＰＣ−ＰＵＳＣＨ−ＲＮＴＩ（Transmit  Power  Control-PUSCH-RNTI）、一時的Ｃ−ＲＮＴＩ、Ｍ−ＲＮＴＩ（MBMS  (Multimedia  Broadcast  Multicast  Services)  -RNTI）、および、ｅＩＭＴＡ−ＲＮＴＩ、ＣＣ−ＲＮＴＩを含む。
【０１２８】
Ｃ−ＲＮＴＩおよびＳＰＳ  Ｃ−ＲＮＴＩは、基地局装置１（セル）内において端末装置２に固有のＲＮＴＩであり、端末装置２を識別するための識別子である。Ｃ−ＲＮＴＩは、あるサブフレームにおけるＰＤＳＣＨまたはＰＵＳＣＨをスケジューリングするために用いられる。ＳＰＳ  Ｃ−ＲＮＴＩは、ＰＤＳＣＨまたはＰＵＳＣＨのためのリソースの周期的なスケジューリングをアクティベーションまたはリリースするために用いられる。ＳＩ−ＲＮＴＩでスクランブルされたＣＲＣを有する制御チャネルは、ＳＩＢ（System  Information  Block）をスケジューリングするために用いられる。Ｐ−ＲＮＴＩでスクランブルされたＣＲＣを有する制御チャネルは、ページングを制御するために用いられる。ＲＡ−ＲＮＴＩでスクランブルされたＣＲＣを有する制御チャネルは、ＲＡＣＨに対するレスポンスをスケジューリングするために用いられる。ＴＰＣ−ＰＵＣＣＨ−ＲＮＴＩでスクランブルされたＣＲＣを有する制御チャネルは、ＰＵＣＣＨの電力制御を行うために用いられる。ＴＰＣ−ＰＵＳＣＨ−ＲＮＴＩでスクランブルされたＣＲＣを有する制御チャネルは、ＰＵＳＣＨの電力制御を行うために用いられる。Ｔｅｍｐｏｒａｒｙ  Ｃ−ＲＮＴＩでスクランブルされたＣＲＣを有する制御チャネルは、Ｃ−ＲＮＴＩが設定または認識されていない移動局装置によって用いられる。Ｍ−ＲＮＴＩでスクランブルされたＣＲＣを有する制御チャネルは、ＭＢＭＳをスケジューリングするために用いられる。ｅＩＭＴＡ−ＲＮＴＩでスクランブルされたＣＲＣを有する制御チャネルは、動的ＴＤＤ（ｅＩＭＴＡ）において、ＴＤＤサービングセルのＴＤＤ  ＵＬ／ＤＬ設定に関する情報を通知するために用いられる。ＣＣ−ＲＮＴＩでスクランブルされたＣＲＣを有する制御チャネル（ＤＣＩ）は、ＬＡＡセカンダリーセルにおいて、専有ＯＦＤＭシンボルの設定を通知するために用いられる。なお、上記のＲＮＴＩに限らず、新たなＲＮＴＩによってＤＣＩフォーマットがスクランブルされてもよい。
【０１２９】
スケジューリング情報（下りリンクスケジューリング情報、上りリンクスケジューリング情報、サイドリンクスケジューリング情報）は、周波数領域のスケジューリングとして、リソースブロックまたはリソースブロックグループを単位にスケジューリングを行うための情報を含む。リソースブロックグループは、連続するリソースブロックのセットであり、スケジューリングされる端末装置に対する割り当てられるリソースを示す。リソースブロックグループのサイズは、システム帯域幅に応じて決まる。
【０１３０】
＜本実施形態における下りリンク制御チャネルの詳細＞
ＤＣＩはＰＤＣＣＨまたはＥＰＤＣＣＨなどの制御チャネルを用いて送信される。端末装置２は、ＲＲＣシグナリングによって設定された１つまたは複数のアクティベートされたサービングセルのＰＤＣＣＨ候補のセットおよび／またはＥＰＤＣＣＨ候補のセットをモニタする。ここで、モニタリングとは、全てのモニタされるＤＣＩフォーマットに対応するセット内のＰＤＣＣＨおよび／またはＥＰＤＣＣＨのデコードを試みることである。
ＰＤＣＣＨ候補のセットまたはＥＰＤＣＣＨ候補のセットは、サーチスペースとも呼称される。サーチスペースには、共有サーチスペース（ＣＳＳ）と端末固有サーチスペース（ＵＳＳ）が定義される。ＣＳＳは、ＰＤＣＣＨに関するサーチスペースのみに対して定義されてもよい。
【０１３１】
ＣＳＳ（Common  Search  Space）は、基地局装置１に固有のパラメータおよび／または予め規定されたパラメータに基づいて設定されるサーチスペースである。例えば、ＣＳＳは、複数の端末装置で共通に用いられるサーチスペースである。そのため、基地局装置１が複数の端末装置で共通の制御チャネルをＣＳＳにマッピングすることにより、制御チャネルを送信するためのリソースが低減される。
【０１３２】
ＵＳＳ（UE-specific  Search  Space）は、少なくとも端末装置２に固有のパラメータを用いて設定されるサーチスペースである。そのため、ＵＳＳは、端末装置２に固有のサーチスペースであり、基地局装置１はＵＳＳによって端末装置２に固有の制御チャネルを個別に送信することができる。そのため、基地局装置１は複数の端末装置に固有の制御チャネルを効率的にマッピングできる。
【０１３３】
ＵＳＳは、複数の端末装置に共通に用いられるように設定されてもよい。複数の端末装置に対して共通のＵＳＳが設定されるために、端末装置２に固有のパラメータは、複数の端末装置の間で同じ値になるように設定される。例えば、複数の端末装置の間で同じパラメータに設定される単位は、セル、送信点、または所定の端末装置のグループなどである。
【０１３４】
アグリゲーションレベル毎のサーチスペースはＰＤＣＣＨ候補のセットによって定義される。ＰＤＣＣＨのそれぞれは、１つ以上のＣＣＥ（Control  Channel  Element）の集合を用いて送信される。１つのＰＤＣＣＨに用いられるＣＣＥの数は、アグリゲーションレベルとも呼称される。例えば、１つのＰＤＣＣＨに用いられるＣＣＥの数は、１、２、４または８である。
【０１３５】
アグリゲーションレベル毎のサーチスペースはＥＰＤＣＣＨ候補のセットによって定義される。ＥＰＤＣＣＨのそれぞれは、１つ以上のＥＣＣＥ（Enhanced  Control  Channel  Element）の集合を用いて送信される。１つのＥＰＤＣＣＨに用いられるＥＣＣＥの数は、アグリゲーションレベルとも呼称される。例えば、１つのＥＰＤＣＣＨに用いられるＥＣＣＥの数は、１、２、４、８、１６または３２である。
【０１３６】
ＰＤＣＣＨ候補の数またはＥＰＤＣＣＨ候補の数は、少なくともサーチスペースおよびアグリゲーションレベルに基づいて決まる。例えば、ＣＳＳにおいて、アグリゲーションレベル４および８におけるＰＤＣＣＨ候補の数はそれぞれ４および２である。例えば、ＵＳＳにおいて、アグリゲーション１、２、４および８におけるＰＤＣＣＨ候補の数はそれぞれ６、６、２および２である。
【０１３７】
それぞれのＥＣＣＥは、複数のＥＲＥＧ（Enhanced  resource  element  group）で構成される。ＥＲＥＧは、ＥＰＤＣＣＨのリソースエレメントに対するマッピングを定義するために用いられる。各ＲＢペアにおいて、０から１５に番号付けされる、１６個のＥＲＥＧが定義される。すなわち、各ＲＢペアにおいて、ＥＲＥＧ０〜ＥＲＥＧ１５が定義される。各ＲＢペアにおいて、ＥＲＥＧ０〜ＥＲＥＧ１５は、所定の信号および／またはチャネルがマッピングされるリソースエレメント以外のリソースエレメントに対して、周波数方向を優先して、周期的に定義される。例えば、アンテナポート１０７〜１１０で送信されるＥＰＤＣＣＨに関連付けられる復調用参照信号がマッピングされるリソースエレメントは、ＥＲＥＧとして定義されない。
【０１３８】
１つのＥＰＤＣＣＨに用いられるＥＣＣＥの数は、ＥＰＤＣＣＨフォーマットに依存し、他のパラメータに基づいて決定される。１つのＥＰＤＣＣＨに用いられるＥＣＣＥの数は、アグリゲーションレベルとも呼称される。例えば、１つのＥＰＤＣＣＨに用いられるＥＣＣＥの数は、１つのＲＢペアにおけるＥＰＤＣＣＨ送信に用いることができるリソースエレメントの数、ＥＰＤＣＣＨの送信方法などに基づいて、決定される。例えば、１つのＥＰＤＣＣＨに用いられるＥＣＣＥの数は、１、２、４、８、１６または３２である。また、１つのＥＣＣＥに用いられるＥＲＥＧの数は、サブフレームの種類およびサイクリックプレフィックスの種類に基づいて決定され、４または８である。ＥＰＤＣＣＨの送信方法として、分散送信（Distributed  transmission）および局所送信（Localized  transmission）がサポートされる。
【０１３９】
ＥＰＤＣＣＨは、分散送信または局所送信を用いることができる。分散送信および局所送信は、ＥＲＥＧおよびＲＢペアに対するＥＣＣＥのマッピングが異なる。例えば、分散送信において、１つのＥＣＣＥは、複数のＲＢペアのＥＲＥＧを用いて構成される。局所送信において、１つのＥＣＣＥは、１つのＲＢペアのＥＲＥＧを用いて構成される。
基地局装置１は、端末装置２に対して、ＥＰＤＣＣＨに関する設定を行う。端末装置２は、基地局装置１からの設定に基づいて、複数のＥＰＤＣＣＨをモニタリングする。端末装置２がＥＰＤＣＣＨをモニタリングするＲＢペアのセットが、設定されうる。そのＲＢペアのセットは、ＥＰＤＣＣＨセットまたはＥＰＤＣＣＨ−ＰＲＢセットとも呼称される。１つの端末装置２に対して、１つ以上のＥＰＤＣＣＨセットが設定できる。各ＥＰＤＣＣＨセットは、１つ以上のＲＢペアで構成される。また、ＥＰＤＣＣＨに関する設定は、ＥＰＤＣＣＨセット毎に個別に行うことができる。
【０１４０】
基地局装置１は、端末装置２に対して、所定数のＥＰＤＣＣＨセットを設定できる。例えば、２つまでのＥＰＤＣＣＨセットが、ＥＰＤＣＣＨセット０および／またはＥＰＤＣＣＨセット１として、設定できる。ＥＰＤＣＣＨセットのそれぞれは、所定数のＲＢペアで構成できる。各ＥＰＤＣＣＨセットは、複数のＥＣＣＥの１つのセットを構成する。１つのＥＰＤＣＣＨセットに構成されるＥＣＣＥの数は、そのＥＰＤＣＣＨセットとして設定されるＲＢペアの数、および、１つのＥＣＣＥに用いられるＥＲＥＧの数に基づいて、決定される。１つのＥＰＤＣＣＨセットに構成されるＥＣＣＥの数がＮである場合、各ＥＰＤＣＣＨセットは、０〜Ｎ−１で番号付けされたＥＣＣＥを構成する。例えば、１つのＥＣＣＥに用いられるＥＲＥＧの数が４である場合、４つのＲＢペアで構成されるＥＰＤＣＣＨセットは１６個のＥＣＣＥを構成する。
【０１４１】
＜１．６．ＣＡ及びＤＣ＞
＜本実施形態におけるCAとDCの詳細＞
端末装置２は複数のセルが設定され、マルチキャリア送信を行うことができる。端末装置２が複数のセルを用いる通信は、ＣＡ（キャリアアグリゲーション）またはＤＣ（デュアルコネクティビティ）と称される。本実施形態に記載の内容は、端末装置２に対して設定される複数のセルのそれぞれまたは一部に適用できる。端末装置２に設定されるセルを、サービングセルとも称する。
【０１４２】
ＣＡおいて、設定される複数のサービングセルは、１つのプライマリーセル（PCell:  Primary  Cell）と１つ以上のセカンダリーセル（SCell:  Secondary  Cell）とを含む。ＣＡをサポートしている端末装置２に対して、１つのプライマリーセルと１つ以上のセカンダリーセルが設定されうる。
【０１４３】
プライマリーセルは、初期コネクション構築（initial  connection  establishment）手続きが行なわれたサービングセル、コネクション再構築（connection  re-establishment）手続きを開始したサービングセル、または、ハンドオーバ手続きにおいてプライマリーセルと指示されたセルである。プライマリーセルは、プライマリー周波数でオペレーションする。セカンダリーセルは、コネクションの構築または再構築以降に設定されうる。セカンダリーセルは、セカンダリー周波数でオペレーションする。なお、コネクションは、ＲＲＣコネクションとも称される。
【０１４４】
ＤＣは、少なくとも２つの異なるネットワークポイントから提供される無線リソースを所定の端末装置２が消費するオペレーションである。ネットワークポイントは、マスター基地局装置（MeNB:  Master  eNB）とセカンダリー基地局装置（SeNB:  Secondary  eNB）である。デュアルコネクティビティは、端末装置２が、少なくとも２つのネットワークポイントでＲＲＣ接続を行なうことである。デュアルコネクティビティにおいて、２つのネットワークポイントは、非理想的バックホール（non-ideal  backhaul）によって接続されてもよい。
【０１４５】
ＤＣにおいて、少なくともＳ１−ＭＭＥ（Mobility  Management  Entity）に接続され、コアネットワークのモビリティアンカーの役割を果たす基地局装置１をマスター基地局装置と称される。また、端末装置２に対して追加の無線リソースを提供するマスター基地局装置ではない基地局装置１をセカンダリー基地局装置と称される。マスター基地局装置に関連されるサービングセルのグループは、マスターセルグループ（MCG:  Master  Cell  Group）とも呼称される。セカンダリー基地局装置に関連されるサービングセルのグループは、セカンダリーセルグループ（SCG:  Secondary  Cell  Group）とも呼称される。なお、サービングセルのグループを、セルグループ（ＣＧ）と呼称される。
【０１４６】
ＤＣにおいて、プライマリーセルは、ＭＣＧに属する。また、ＳＣＧにおいて、プライマリーセルに相当するセカンダリーセルをプライマリーセカンダリーセル（PSCell:  Primary  Secondary  Cell）と称する。ＰＳＣｅｌｌ（ｐＳＣｅｌｌを構成する基地局装置）には、ＰＣｅｌｌ（ＰＣｅｌｌを構成する基地局装置）と同等の機能（能力、性能）がサポートされてもよい。また、ＰＳＣｅｌｌには、ＰＣｅｌｌの一部の機能だけがサポートされてもよい。例えば、ＰＳＣｅｌｌには、ＣＳＳまたはＵＳＳとは異なるサーチスペースを用いて、ＰＤＣＣＨ送信を行なう機能がサポートされてもよい。また、ＰＳＣｅｌｌは、常にアクティベーションの状態であってもよい。また、ＰＳＣｅｌｌは、ＰＵＣＣＨを受信できるセルである。
【０１４７】
ＤＣにおいて、無線ベアラ（データ無線ベアラ（DRB:  Date  Radio  Bearer）および／またはシグナリング無線ベアラ（SRB:  Signaling  Radio  Bearer））は、ＭｅＮＢとＳｅＮＢで個別に割り当てられてもよい。ＭＣＧ（ＰＣｅｌｌ）とＳＣＧ（ＰＳＣｅｌｌ）に対して、それぞれ個別にデュプレックスモードが設定されてもよい。ＭＣＧ（ＰＣｅｌｌ）とＳＣＧ（ＰＳＣｅｌｌ）は、互いに同期されなくてもよい。すなわち、ＭＣＧのフレーム境界とＳＣＧのフレーム境界が一致しなくてもよい。ＭＣＧ（ＰＣｅｌｌ）とＳＣＧ（ＰＳＣｅｌｌ）に対して、複数のタイミング調整のためのパラメータ（TAG:  Timing  Advance  Group）が独立に設定されてもよい。デュアルコネクティビティにおいて、端末装置２は、ＭＣＧ内のセルに対応するＵＣＩをＭｅＮＢ（ＰＣｅｌｌ）のみで送信し、ＳＣＧ内のセルに対応するＵＣＩをＳｅＮＢ（ｐＳＣｅｌｌ）のみで送信する。それぞれのＵＣＩの送信において、ＰＵＣＣＨおよび／またはＰＵＳＣＨを用いた送信方法はそれぞれのセルグループで適用される。
【０１４８】
ＰＵＣＣＨおよびＰＢＣＨ（ＭＩＢ）は、ＰＣｅｌｌまたはＰＳＣｅｌｌのみで送信される。また、ＰＲＡＣＨは、ＣＧ内のセル間で複数のＴＡＧ（Timing  Advance  Group）が設定されない限り、ＰＣｅｌｌまたはＰＳＣｅｌｌのみで送信される。
【０１４９】
ＰＣｅｌｌまたはＰＳＣｅｌｌでは、ＳＰＳ（Semi-Persistent  Scheduling）やＤＲＸ（Discontinuous  Transmission）を行ってもよい。セカンダリーセルでは、同じセルグループのＰＣｅｌｌまたはＰＳＣｅｌｌと同じＤＲＸを行ってもよい。
【０１５０】
セカンダリーセルにおいて、ＭＡＣの設定に関する情報／パラメータは、基本的に、同じセルグループのＰＣｅｌｌまたはＰＳＣｅｌｌと共有している。一部のパラメータは、セカンダリーセル毎に設定されてもよい。一部のタイマーやカウンタが、ＰＣｅｌｌまたはＰＳＣｅｌｌのみに対して適用されてもよい。
【０１５１】
ＣＡにおいて、ＴＤＤ方式が適用されるセルとＦＤＤ方式が適用されるセルが集約されてもよい。ＴＤＤが適用されるセルとＦＤＤが適用されるセルとが集約される場合に、ＴＤＤが適用されるセルおよびＦＤＤが適用されるセルのいずれか一方に対して本開示を適用することができる。
【０１５２】
端末装置２は、端末装置２によってＣＡおよび／またはＤＣがサポートされているバンド組み合わせを示す情報（supportedBandCombination）を、基地局装置１に送信する。端末装置２は、バンド組み合わせのそれぞれに対して、異なる複数のバンドにおける前記複数のサービングセルにおける同時送信および受信をサポートしているかどうかを指示する情報を、基地局装置１に送信する。
【０１５３】
＜１．７．リソースの割り当て＞
＜本実施形態におけるリソース割り当ての詳細＞
基地局装置１は、端末装置２にＰＤＳＣＨおよび／またはＰＵＳＣＨのリソース割り当ての方法として、複数の方法を用いることができる。リソース割り当ての方法は、動的スケジューリング、セミパーシステントスケジューリング、マルチサブフレームスケジューリング、およびクロスサブフレームスケジューリングを含む。
【０１５４】
動的スケジューリングにおいて、１つのＤＣＩは１つのサブフレームにおけるリソース割り当てを行う。具体的には、あるサブフレームにおけるＰＤＣＣＨまたはＥＰＤＣＣＨは、そのサブフレームにおけるＰＤＳＣＨに対するスケジューリングを行う。あるサブフレームにおけるＰＤＣＣＨまたはＥＰＤＣＣＨは、そのサブフレームより後の所定のサブフレームにおけるＰＵＳＣＨに対するスケジューリングを行う。
【０１５５】
マルチサブフレームスケジューリングにおいて、１つのＤＣＩは１つ以上のサブフレームにおけるリソース割り当てを行う。具体的には、あるサブフレームにおけるＰＤＣＣＨまたはＥＰＤＣＣＨは、そのサブフレームより所定数後の１つ以上のサブフレームにおけるＰＤＳＣＨに対するスケジューリングを行う。あるサブフレームにおけるＰＤＣＣＨまたはＥＰＤＣＣＨは、そのサブフレームより所定数後の１つ以上のサブフレームにおけるＰＵＳＣＨに対するスケジューリングを行う。その所定数はゼロ以上の整数にすることができる。その所定数は、あらかじめ規定されてもよいし、物理層シグナリングおよび／またはＲＲＣシグナリングに基づいて決められてもよい。マルチサブフレームスケジューリングにおいて、連続したサブフレームがスケジューリングされてもよいし、所定の周期を有するサブフレームがスケジューリングされてもよい。スケジューリングされるサブフレームの数は、あらかじめ規定されてもよいし、物理層シグナリングおよび／またはＲＲＣシグナリングに基づいて決められてもよい。
【０１５６】
クロスサブフレームスケジューリングにおいて、１つのＤＣＩは１つのサブフレームにおけるリソース割り当てを行う。具体的には、あるサブフレームにおけるＰＤＣＣＨまたはＥＰＤＣＣＨは、そのサブフレームより所定数後の１つのサブフレームにおけるＰＤＳＣＨに対するスケジューリングを行う。あるサブフレームにおけるＰＤＣＣＨまたはＥＰＤＣＣＨは、そのサブフレームより所定数後の１つのサブフレームにおけるＰＵＳＣＨに対するスケジューリングを行う。その所定数はゼロ以上の整数にすることができる。その所定数は、あらかじめ規定されてもよいし、物理層シグナリングおよび／またはＲＲＣシグナリングに基づいて決められてもよい。クロスサブフレームスケジューリングにおいて、連続したサブフレームがスケジューリングされてもよいし、所定の周期を有するサブフレームがスケジューリングされてもよい。
【０１５７】
セミパーシステントスケジューリング（ＳＰＳ）において、１つのＤＣＩは１つ以上のサブフレームにおけるリソース割り当てを行う。端末装置２は、ＲＲＣシグナリングによってＳＰＳに関する情報が設定され、ＳＰＳを有効にするためのＰＤＣＣＨまたはＥＰＤＣＣＨを検出した場合、ＳＰＳに関する処理を有効にし、ＳＰＳに関する設定に基づいて所定のＰＤＳＣＨおよび／またはＰＵＳＣＨを受信する。端末装置２は、ＳＰＳが有効である時にＳＰＳをリリースするためのＰＤＣＣＨまたはＥＰＤＣＣＨを検出した場合、ＳＰＳをリリース（無効に）し、所定のＰＤＳＣＨおよび／またはＰＵＳＣＨの受信を止める。ＳＰＳのリリースは、所定の条件を満たした場合に基づいて行ってもよい。例えば、所定数の空送信のデータを受信した場合に、ＳＰＳはリリースされる。ＳＰＳをリリースするためのデータの空送信は、ゼロＭＡＣ  ＳＤＵ（Service  Data  Unit）を含むＭＡＣ  ＰＤＵ（Protocol  Data  Unit）に対応する。
【０１５８】
ＲＲＣシグナリングによるＳＰＳに関する情報は、ＳＰＳのＲＮＴＩであるＳＰＳ  Ｃ−ＲＮＴＩ、ＰＤＳＣＨのスケジューリングされる周期（インターバル）に関する情報、ＰＵＳＣＨのスケジューリングされる周期（インターバル）に関する情報、ＳＰＳをリリースするための設定に関する情報、および／または、ＳＰＳにおけるＨＡＲＱプロセスの番号を含む。ＳＰＳは、プライマリーセルおよび／またはプライマリーセカンダリーセルのみにサポートされる。
【０１５９】
＜１．８．エラー訂正＞
＜本実施形態におけるＨＡＲＱ＞
本実施形態において、ＨＡＲＱは様々な特徴を有する。ＨＡＲＱはトランスポートブロックを送信および再送する。ＨＡＲＱにおいて、所定数のプロセス（ＨＡＲＱプロセス）が用いられ（設定され）、プロセスのそれぞれはストップアンドウェイト方式で独立に動作する。
【０１６０】
下りリンクにおいて、ＨＡＲＱは非同期であり、適応的に動作する。すなわち、下りリンクにおいて、再送は常にＰＤＣＣＨを通じてスケジューリングされる。下りリンク送信に対応する上りリンクＨＡＲＱ−ＡＣＫ（応答情報）はＰＵＣＣＨまたはＰＵＳＣＨで送信される。下りリンクにおいて、ＰＤＣＣＨは、そのＨＡＲＱプロセスを示すＨＡＲＱプロセス番号、および、その送信が初送か再送かを示す情報を通知する。
【０１６１】
上りリンクにおいて、ＨＡＲＱは同期または非同期に動作する。上りリンク送信に対応する下りリンクＨＡＲＱ−ＡＣＫ（応答情報）はＰＨＩＣＨで送信される。上りリンクＨＡＲＱにおいて、端末装置の動作は、その端末装置によって受信されるＨＡＲＱフィードバックおよび／またはその端末装置によって受信されるＰＤＣＣＨに基づいて決まる。例えば、ＰＤＣＣＨは受信されず、ＨＡＲＱフィードバックがＡＣＫである場合、端末装置は送信（再送）を行わず、ＨＡＲＱバッファ内のデータを保持する。その場合、ＰＤＣＣＨが再送を再開するために送信されるかもしれない。また、例えば、ＰＤＣＣＨは受信されず、ＨＡＲＱフィードバックがＮＡＣＫである場合、端末装置は所定の上りリンクサブフレームで非適応的に再送を行う。また、例えば、ＰＤＣＣＨが受信された場合、ＨＡＲＱフィードバックの内容に関わらず、端末装置はそのＰＤＣＣＨで通知される内容に基づいて、送信または再送を行う。
【０１６２】
なお、上りリンクにおいて、所定の条件（設定）を満たした場合、ＨＡＲＱは非同期のみで動作するようにしてもよい。すなわち、下りリンクＨＡＲＱ−ＡＣＫは送信されず、上りリンクにおける再送は常にＰＤＣＣＨを通じてスケジューリングされてもよい。
【０１６３】
ＨＡＲＱ−ＡＣＫ報告において、ＨＡＲＱ−ＡＣＫは、ＡＣＫ、ＮＡＣＫ、またはＤＴＸを示す。ＨＡＲＱ−ＡＣＫがＡＣＫである場合、そのＨＡＲＱ−ＡＣＫに対応するトランスポートブロック（コードワード、チャネル）は正しく受信（デコード）できたことを示す。ＨＡＲＱ−ＡＣＫがＮＡＣＫである場合、そのＨＡＲＱ−ＡＣＫに対応するトランスポートブロック（コードワード、チャネル）は正しく受信（デコード）できなかったことを示す。ＨＡＲＱ−ＡＣＫがＤＴＸである場合、そのＨＡＲＱ−ＡＣＫに対応するトランスポートブロック（コードワード、チャネル）は存在しない（送信されていない）ことを示す。
【０１６４】
下りリンクおよび上りリンクのそれぞれにおいて、所定数のＨＡＲＱプロセスが設定（規定）される。例えば、ＦＤＤにおいて、サービングセル毎に最大８つのＨＡＲＱプロセスが用いられる。また、例えば、ＴＤＤにおいて、ＨＡＲＱプロセスの最大数は、上りリンク／下りリンク設定によって決定される。ＨＡＲＱプロセスの最大数は、ＲＴＴ（Round  Trip  Time）に基づいて決定されてもよい。例えば、ＲＴＴが８ＴＴＩである場合、ＨＡＲＱプロセスの最大数は８にすることができる。
【０１６５】
本実施形態において、ＨＡＲＱ情報は、少なくともＮＤＩ（New  Data  Indicator）およびＴＢＳ（トランスポートブロックサイズ）で構成される。ＮＤＩは、そのＨＡＲＱ情報に対応するトランスポートブロックが初送か再送かを示す情報である。ＴＢＳはトランスポートブロックのサイズである。トランスポートブロックは、トランスポートチャネル（トランスポートレイヤー）におけるデータのブロックであり、ＨＡＲＱを行う単位とすることができる。ＤＬ−ＳＣＨ送信において、ＨＡＲＱ情報は、さらにＨＡＲＱプロセスＩＤ（ＨＡＲＱプロセス番号）を含む。ＵＬ−ＳＣＨ送信において、ＨＡＲＱ情報は、さらにトランスポートブロックに対する符号化後の情報ビットとパリティビットを指定するための情報であるＲＶ（Redundancy  Version）を含む。ＤＬ−ＳＣＨにおいて空間多重の場合、そのＨＡＲＱ情報は、それぞれのトランスポートブロックに対してＮＤＩおよびＴＢＳのセットを含む。
【０１６６】
＜１．９．リソースエレメントマッピング＞
＜本実施形態におけるＬＴＥの下りリンクリソースエレメントマッピングの詳細＞
図１０は、本実施形態におけるＬＴＥの下りリンクリソースエレメントマッピングの一例を示す図である。この例では、１つのリソースブロックおよび１つのスロットのＯＦＤＭシンボル数が７である場合において、１つのリソースブロックペアにおけるリソースエレメントの集合が示されている。また、リソースブロックペア内の時間方向に前半の７つのＯＦＤＭシンボルは、スロット０（第１のスロット）とも呼称される。リソースブロックペア内の時間方向に後半の７つのＯＦＤＭシンボルは、スロット１（第２のスロット）とも呼称される。また、各スロット（リソースブロック）におけるＯＦＤＭシンボルのそれぞれは、ＯＦＤＭシンボル番号０〜６で示される。また、リソースブロックペアにおける周波数方向のサブキャリアのそれぞれは、サブキャリア番号０〜１１で示される。なお、システム帯域幅が複数のリソースブロックで構成される場合、サブキャリア番号はそのシステム帯域幅に渡って異なるように割り当てる。例えば、システム帯域幅が６個のリソースブロックで構成される場合、サブキャリア番号０〜７１が割り当てられるサブキャリアが用いられる。なお、本実施形態の説明では、リソースエレメント（ｋ，ｌ）は、サブキャリア番号ｋとＯＦＤＭシンボル番号ｌで示されるリソースエレメントである。
【０１６７】
Ｒ０〜Ｒ３で示されるリソースエレメントは、それぞれアンテナポート０〜３のセル固有参照信号を示す。以下では、アンテナポート０〜３のセル固有参照信号はＣＲＳ（Cell-specific  RS）とも呼称される。この例では、ＣＲＳが４つのアンテナポートの場合であるが、その数を変えることができる。例えば、ＣＲＳは、１つのアンテナポートまたは２つのアンテナポートを用いることができる。また、ＣＲＳは、セルＩＤに基づいて、周波数方向へシフトすることができる。例えば、ＣＲＳは、セルＩＤを６で割った余りに基づいて、周波数方向へシフトすることができる。
【０１６８】
Ｃ１〜Ｃ４で示されるリソースエレメントは、アンテナポート１５〜２２の伝送路状況測定用参照信号（ＣＳＩ−ＲＳ）を示す。Ｃ１〜Ｃ４で示されるリソースエレメントは、それぞれＣＤＭグループ１〜ＣＤＭグループ４のＣＳＩ−ＲＳを示す。ＣＳＩ−ＲＳは、Ｗａｌｓｈ符号を用いた直交系列（直交符号）と、擬似ランダム系列を用いたスクランブル符号とで構成される。また、ＣＳＩ−ＲＳは、ＣＤＭグループ内において、それぞれＷａｌｓｈ符号等の直交符号により符号分割多重される。また、ＣＳＩ−ＲＳは、ＣＤＭグループ間において、互いに周波数分割多重（ＦＤＭ）される。
【０１６９】
アンテナポート１５および１６のＣＳＩ−ＲＳはＣ１にマッピングされる。アンテナポート１７および１８のＣＳＩ−ＲＳはＣ２にマッピングされる。アンテナポート１９および２０のＣＳＩ−ＲＳはＣ３にマッピングされる。アンテナポート２１および２２のＣＳＩ−ＲＳはＣ４にマッピングされる。
【０１７０】
ＣＳＩ−ＲＳのアンテナポート数は複数規定される。ＣＳＩ−ＲＳは、アンテナポート１５〜２２の８つのアンテナポートに対応する参照信号として設定されることができる。また、ＣＳＩ−ＲＳは、アンテナポート１５〜１８の４つのアンテナポートに対応する参照信号として設定されることができる。また、ＣＳＩ−ＲＳは、アンテナポート１５〜１６の２つのアンテナポートに対応する参照信号として設定されることができる。また、ＣＳＩ−ＲＳは、アンテナポート１５の１つのアンテナポートに対応する参照信号として設定されることができる。ＣＳＩ−ＲＳは、一部のサブフレームにマッピングされることができ、例えば、複数のサブフレーム毎にマッピングされることができる。ＣＳＩ−ＲＳのリソースエレメントに対するマッピングパターンは複数規定される。また、基地局装置１は、端末装置２に対して、複数のＣＳＩ−ＲＳを設定することができる。
【０１７１】
ＣＳＩ−ＲＳは、送信電力をゼロにすることができる。送信電力がゼロのＣＳＩ−ＲＳは、ゼロパワーＣＳＩ−ＲＳとも呼称される。ゼロパワーＣＳＩ−ＲＳは、アンテナポート１５〜２２のＣＳＩ−ＲＳとは独立に設定される。なお、アンテナポート１５〜２２のＣＳＩ−ＲＳは、非ゼロパワーＣＳＩ−ＲＳとも呼称される。
【０１７２】
基地局装置１は、ＲＲＣシグナリングを通じて、端末装置２に対して固有の制御情報として、ＣＳＩ−ＲＳを設定する。端末装置２は、基地局装置１によりＲＲＣシグナリングを通じて、ＣＳＩ−ＲＳが設定される。また、端末装置２は、干渉電力を測定するためのリソースであるＣＳＩ−ＩＭリソースが設定されることができる。端末装置２は、基地局装置１からの設定に基づいて、ＣＲＳ、ＣＳＩ−ＲＳおよび／またはＣＳＩ−ＩＭリソースを用いて、フィードバック情報を生成する。
【０１７３】
Ｄ１〜Ｄ２で示されるリソースエレメントは、それぞれＣＤＭグループ１〜ＣＤＭグループ２のＤＬ−ＤＭＲＳを示す。ＤＬ−ＤＭＲＳは、Ｗａｌｓｈ符号を用いた直交系列（直交符号）と、擬似ランダム系列によるスクランブル系列とを用いて構成される。また、ＤＬ−ＤＭＲＳは、アンテナポート毎に独立であり、それぞれのリソースブロックペア内で多重できる。ＤＬ−ＤＭＲＳは、ＣＤＭおよび／またはＦＤＭにより、アンテナポート間で互いに直交関係にある。ＤＬ−ＤＭＲＳは、ＣＤＭグループ内において、それぞれ直交符号によりＣＤＭされる。ＤＬ−ＤＭＲＳは、ＣＤＭグループ間において、互いにＦＤＭされる。同じＣＤＭグループにおけるＤＬ−ＤＭＲＳは、それぞれ同じリソースエレメントにマッピングされる。同じＣＤＭグループにおけるＤＬ−ＤＭＲＳは、アンテナポート間でそれぞれ異なる直交系列が用いられ、それらの直交系列は互いに直交関係にある。ＰＤＳＣＨ用のＤＬ−ＤＭＲＳは、８つのアンテナポート（アンテナポート７〜１４）の一部または全部を用いることができる。つまり、ＤＬ−ＤＭＲＳに関連付けられるＰＤＳＣＨは、最大８ランクまでのＭＩＭＯ送信ができる。ＥＰＤＣＣＨ用のＤＬ−ＤＭＲＳは、４つのアンテナポート（アンテナポート１０７〜１１０）の一部または全部を用いることができる。また、ＤＬ−ＤＭＲＳは、関連付けられるチャネルのランク数に応じて、ＣＤＭの拡散符号長やマッピングされるリソースエレメントの数を変えることができる。
【０１７４】
アンテナポート７、８、１１および１３で送信するＰＤＳＣＨ用のＤＬ−ＤＭＲＳは、Ｄ１で示されるリソースエレメントにマッピングされる。アンテナポート９、１０、１２および１４で送信するＰＤＳＣＨ用のＤＬ−ＤＭＲＳは、Ｄ２で示されるリソースエレメントにマッピングされる。また、アンテナポート１０７および１０８で送信するＥＰＤＣＣＨ用のＤＬ−ＤＭＲＳは、Ｄ１で示されるリソースエレメントにマッピングされる。アンテナポート１０９および１１０で送信するＥＰＤＣＣＨ用のＤＬ−ＤＭＲＳは、Ｄ２で示されるリソースエレメントにマッピングされる。
【０１７５】
＜本実施形態におけるＮＲの下りリンクリソースエレメントマッピングの詳細＞
図１１は、本実施形態におけるＮＲの下りリンクリソースエレメントマッピングの一例を示す図である。図１１は、パラメータセット０が用いられる場合に、所定のリソースにおけるリソースエレメントの集合を示す。図１１に示される所定のリソースは、ＬＴＥにおける１つのリソースブロックペアと同じ時間長および周波数帯域幅から成るリソースである。
【０１７６】
ＮＲにおいて、所定のリソースは、ＮＲ−ＲＢ（ＮＲリソースブロック）とも呼称される。所定のリソースは、ＮＲ−ＰＤＳＣＨまたはＮＲ−ＰＤＣＣＨの割り当ての単位、所定のチャネルまたは所定の信号のリソースエレメントに対するマッピングの定義を行う単位、または、パラメータセットが設定される単位などに用いることができる。
【０１７７】
図１１の例では、所定のリソースは、時間方向においてＯＦＤＭシンボル番号０〜１３で示される１４個のＯＦＤＭシンボル、および、周波数方向においてサブキャリア番号０〜１１で示される１２個のサブキャリアで構成される。システム帯域幅が複数の所定のリソースで構成される場合、サブキャリア番号はそのシステム帯域幅に渡って割り当てる。
【０１７８】
Ｃ１〜Ｃ４で示されるリソースエレメントは、アンテナポート１５〜２２の伝送路状況測定用参照信号（ＣＳＩ−ＲＳ）を示す。Ｄ１〜Ｄ２で示されるリソースエレメントは、それぞれＣＤＭグループ１〜ＣＤＭグループ２のＤＬ−ＤＭＲＳを示す。
【０１７９】
図１２は、本実施形態におけるＮＲの下りリンクリソースエレメントマッピングの一例を示す図である。図１２は、パラメータセット１が用いられる場合に、所定のリソースにおけるリソースエレメントの集合を示す。図１２に示される所定のリソースは、ＬＴＥにおける１つのリソースブロックペアと同じ時間長および周波数帯域幅から成るリソースである。
【０１８０】
図１２の例では、所定のリソースは、時間方向においてＯＦＤＭシンボル番号０〜６で示される７個のＯＦＤＭシンボル、および、周波数方向においてサブキャリア番号０〜２３で示される２４個のサブキャリアで構成される。システム帯域幅が複数の所定のリソースで構成される場合、サブキャリア番号はそのシステム帯域幅に渡って割り当てる。
Ｃ１〜Ｃ４で示されるリソースエレメントは、アンテナポート１５〜２２の伝送路状況測定用参照信号（ＣＳＩ−ＲＳ）を示す。Ｄ１〜Ｄ２で示されるリソースエレメントは、それぞれＣＤＭグループ１〜ＣＤＭグループ２のＤＬ−ＤＭＲＳを示す。
【０１８１】
図１３は、本実施形態におけるＮＲの下りリンクリソースエレメントマッピングの一例を示す図である。図１３は、パラメータセット１が用いられる場合に、所定のリソースにおけるリソースエレメントの集合を示す。図１３に示される所定のリソースは、ＬＴＥにおける１つのリソースブロックペアと同じ時間長および周波数帯域幅から成るリソースである。
【０１８２】
図１３の例では、所定のリソースは、時間方向においてＯＦＤＭシンボル番号０〜２７で示される２８個のＯＦＤＭシンボル、および、周波数方向においてサブキャリア番号０〜６で示される６個のサブキャリアで構成される。システム帯域幅が複数の所定のリソースで構成される場合、サブキャリア番号はそのシステム帯域幅に渡って割り当てる。
Ｃ１〜Ｃ４で示されるリソースエレメントは、アンテナポート１５〜２２の伝送路状況測定用参照信号（ＣＳＩ−ＲＳ）を示す。Ｄ１〜Ｄ２で示されるリソースエレメントは、それぞれＣＤＭグループ１〜ＣＤＭグループ２のＤＬ−ＤＭＲＳを示す。
【０１８３】
＜１．１０．自己完結型送信＞
＜本実施形態におけるＮＲの自己完結型送信の詳細＞
ＮＲでは、物理チャネルおよび／または物理信号を自己完結型送信（self-contained  transmission）によって送信することができる。図１４に、本実施形態における自己完結型送信のフレーム構成の一例を示す。自己完結型送信では、１つの送受信は、先頭から連続する下りリンク送信、ＧＰ、および連続する下りリンク送信の順番で構成される。連続する下りリンク送信には、少なくとも１つの下りリンク制御情報およびＤＭＲＳが含まれる。その下りリンク制御情報は、その連続する下りリンク送信に含まれる下りリンク物理チャネルの受信、またはその連続する上りリンク送信に含まれる上りリンク物理チャネルの送信を指示する。その下りリンク制御情報が下りリンク物理チャネルの受信を指示した場合、端末装置２は、その下りリンク制御情報に基づいてその下りリンク物理チャネルの受信を試みる。そして、端末装置２は、その下りリンク物理チャネルの受信成否（デコード成否）を、ＧＰ後に割り当てられる上りリンク送信に含まれる上りリンク制御チャネルによって送信する。一方で、その下りリンク制御情報が上りリンク物理チャネルの送信を指示した場合、その下りリンク制御情報に基づいて送信される上りリンク物理チャネルを上りリンク送信に含めて送信を行う。このように、下りリンク制御情報によって、上りリンクデータの送信と下りリンクデータの送信を柔軟に切り替えることで、上りリンクと下りリンクのトラヒック比率の増減に即座に対応することができる。また、下りリンクの受信成否を直後の上りリンク送信で通知することで、下りリンクの低遅延通信を実現することができる。
【０１８４】
単位スロット時間は、下りリンク送信、ＧＰ、または上りリンク送信を定義する最小の時間単位である。単位スロット時間は、下りリンク送信、ＧＰ、または上りリンク送信のいずれかのために予約される。単位スロット時間の中に、下りリンク送信と上りリンク送信の両方は含まれない。単位スロット時間は、その単位スロット時間に含まれるＤＭＲＳと関連付けられるチャネルの最小送信時間としてもよい。１つの単位スロット時間は、例えば、ＮＲのサンプリング間隔（Ts）またはシンボル長の整数倍で定義される。
【０１８５】
単位フレーム時間は、スケジューリングで指定される最小時間であってもよい。単位フレーム時間は、トランスポートブロックが送信される最小単位であってもよい。単位スロット時間は、その単位スロット時間に含まれるＤＭＲＳと関連付けられるチャネルの最大送信時間としてもよい。単位フレーム時間は、端末装置２において上りリンク送信電力を決定する単位時間であってもよい。単位フレーム時間は、サブフレームと称されてもよい。単位フレーム時間には、下りリンク送信のみ、上りリンク送信のみ、上りリンク送信と下りリンク送信の組み合わせの３種類のタイプが存在する。１つの単位フレーム時間は、例えば、ＮＲのサンプリング間隔（Ts）、シンボル長、または単位スロット時間の整数倍で定義される。
【０１８６】
送受信時間は、１つの送受信の時間である。１つの送受信と他の送受信との間は、どの物理チャネルおよび物理信号も送信されない時間（ギャップ）で占められる。端末装置２は、異なる送受信間でＣＳＩ測定を平均してはいけない。送受信時間は、ＴＴＩと称されてもよい。１つの送受信時間は、例えば、ＮＲのサンプリング間隔（Ts）、シンボル長、単位スロット時間、または単位フレーム時間の整数倍で定義される。
【０１８７】
＜１．１１．技術的特徴＞
＜本実施形態におけるＮＲ−ＰＵＣＣＨの構成＞
以下では、本実施形態における、ＮＲ−ＰＵＣＣＨの構成について説明する。
【０１８８】
まず、ＮＲ−ＰＵＣＣＨの構成の一例として、狭帯域で送信されるＮＲ−ＰＵＣＣＨについて説明する。なお、以降の説明では、当該ＮＲ−ＰＵＣＣＨを、「第１のＮＲ−ＰＵＣＣＨ」とも呼称する。具体的には、第１のＮＲ−ＰＵＣＣＨは、１つのリソースブロックおよびサブフレーム内の全てのシンボルを用いて送信される。この場合には、帯域幅が狭いため、ＰＡＰＲなどの送信電力の低減を期待することが可能である。
【０１８９】
また、ＮＲ−ＰＵＣＣＨの構成の他の一例として、第１のＮＲ−ＰＵＣＣＨと比較して広帯域で送信されるが、第１のＮＲ−ＰＵＣＣＨと比較して短時間で送信されるＮＲ−ＰＵＣＣＨについて説明する。なお、以降の説明では、当該ＮＲ−ＰＵＣＣＨを、「第２のＮＲ−ＰＵＣＣＨ」とも呼称する。具体的な一例として、第２のＮＲ−ＰＵＣＣＨは、２つのシンボルおよび７つのリソースブロックを用いて送信され得る。そのため、第２のＮＲ−ＰＵＣＣＨを利用する場合には、第１のＮＲ−ＰＵＣＣＨと比較して、短時間で送信を終了させることが可能である。また、第２のＮＲ−ＰＵＣＣＨは、自己完結型送信における、ＮＲ−ＰＤＳＣＨに対するＡＣＫ／ＮＡＣＫを運ぶために用いられることが好ましい。
【０１９０】
＜本実施形態における第１のＮＲ−ＰＵＣＣＨの詳細＞
続いて、第１のＮＲ−ＰＵＣＣＨについて、以下に詳細に説明する。図１５は、第１のＮＲ−ＰＵＣＣＨの構成の一例について説明するための説明図である。第１のＮＲ−ＰＵＣＣＨは、例えば、１つのサブフレーム内の１つのリソースブロックを用いて送信される。また、周波数ダイバーシティを得るために、第１のＮＲ−ＰＵＣＣＨの時間軸上で半分（例えば、７シンボル、１スロット）を異なるリソースブロックに割り当てることも可能である。なお、第１のＮＲ−ＰＵＣＣＨは、１サブフレーム中において、同じ周波数リソースに連続して割り当てられてもよい。例えば、図１５に示す例では、上りリンクの所定の帯域幅（例えば、端末装置がサポートされる上りリンクの帯域幅、基地局装置の上りリンクシステム帯域幅）の中心に対して点対称となるように、第１のＮＲ−ＰＵＣＣＨリソースが確保されている。このように、第１のＮＲ−ＰＵＣＣＨは、少なくとも一部が、他の一部とは、１サブフレーム中における時間方向及び周波数方向のそれぞれの位置が異なるように（即ち、シンボル及びリソースブロックの双方が互いに異なるように）割り当てられてもよい。換言すると、第１のＮＲ−ＰＵＣＣＨは、１サブフレーム中の一部の期間に対して割り当てられる少なくとも一部が、他の期間に対して割り当てられる他の一部とは、互いに異なるリソースブロックに割り当てられてもよい。
【０１９１】
なお、基地局装置において、第１のＮＲ−ＰＵＣＣＨとして用いられないリソースブロックまたはリソースエレメント（図１５における斜線部以外のリソース）は、その基地局装置の他の上りリンク送信、他のサイドリンクの送信、他のサイドリンクの受信、および他の下りリンクの受信のうちの少なくともいずれかのために用いられてもよい。
【０１９２】
また、端末装置において、第１のＮＲ−ＰＵＣＣＨとして用いられないリソースブロックまたはリソースエレメント（図１５における斜線部以外のリソース）は、その端末装置の他の上りリンク送信、他のサイドリンクの送信、他のサイドリンクの受信、および他の下りリンクの受信のうちの少なくともいずれかのために用いられてもよい。
【０１９３】
また、図１６は、第１のＮＲ−ＰＵＣＣＨの構成の他の一例について説明するための説明図である。図１５に示す例との差異として、図１６に示す第１のＮＲ−ＰＵＣＣＨは、１つのリソースブロックペアを用いて送信される。この構成は、図１５に示す例と比べて、周波数ダイバーシティは得ることは困難ではあるが、同じ周波数帯域をより長い時間用いるため、時間方向のチャネル推定補正がより良好となる。即ち、図１６に示す例に依れば、例えば、上りリンクの所定の帯域幅が狭帯域である場合など、周波数ダイバーシティが十分に得られない環境下において、良好な特性を得ることが可能となる。
【０１９４】
＜本実施形態における第２のＮＲ−ＰＵＣＣＨの詳細＞
続いて、第２のＮＲ−ＰＵＣＣＨについて、以下に詳細に説明する。図１７は、第２のＮＲ−ＰＵＣＣＨの構成の一例について説明するための説明図である。図１７に示す例では、第２のＮＲ−ＰＵＣＣＨは、例えば、サブフレーム内の後ろから４シンボルと３リソースブロックを用いて送信される。また、周波数ダイバーシティを得るために、第１のＮＲ−ＰＵＣＣＨと同様に第２のＮＲ−ＰＵＣＣＨの時間軸上で半分（例えば、２シンボル）を異なるリソースブロックに割り当てることも可能である。例えば、図１７に示す例では、上りリンクの所定の帯域幅（例えば、端末装置によりサポートされる上りリンクの帯域幅、基地局装置の上りリンクのシステム帯域幅）の中心に対して点対称に第２のＮＲ−ＰＵＣＣＨリソースが確保されている。このように、第２のＮＲ−ＰＵＣＣＨは、少なくとも一部が、他の一部とは、１サブフレーム中における時間方向及び周波数方向のそれぞれの位置が異なるように（即ち、シンボル及びリソースブロックの双方が互いに異なるように）割り当てられてもよい。換言すると、第２のＮＲ−ＰＵＣＣＨは、一部のリソースブロックに対して割り当てられる少なくとも一部が、他のリソースブロックに対して割り当てられる他の一部とは、１サブフレーム中における互いに異なる期間に割り当てられてもよい。
【０１９５】
なお、端末装置において、第２のＮＲ−ＰＵＣＣＨとして用いられないリソースブロックまたはリソースエレメント（図１７における斜線部以外のリソース）は、その端末装置の他の上りリンク送信、他のサイドリンクの送信、他のサイドリンクの受信、および他の下りリンクの受信のうちの少なくともいずれかのために用いられてもよい。
【０１９６】
また、基地局装置において、第２のＮＲ−ＰＵＣＣＨとして用いられないリソースブロックまたはリソースエレメント（図１７における斜線部以外のリソース）は、その基地局装置の他の上りリンク送信、他のサイドリンクの送信、他のサイドリンクの受信、および他の下りリンクの受信のうちの少なくともいずれかのために用いられてもよい。
【０１９７】
また、図１８は、第２のＮＲ−ＰＵＣＣＨの構成の他の一例について説明するための説明図である。図１７に示す例とは異なり、図１８に示す例では、第２のＮＲ−ＰＵＣＣＨは、７リソースブロックと２シンボルを用いてより広帯域に送信される。そのため、図１８に示す例では、第２のＮＲ−ＰＵＣＣＨの送受信に必要な時間がより短くなり、より低遅延な通信を実現することが可能となる。
【０１９８】
＜本実施形態におけるＮＲ−ＰＵＣＣＨリソースの論理−物理マッピング＞
続いて、以下に、ＮＲ−ＰＵＣＣＨリソースの論理−物理マッピングについて説明する。
【０１９９】
まず、第１のＮＲ−ＰＵＣＣＨリソースの論理−物理マッピングの一例について説明する。例えば、図１９は、第１のＮＲ−ＰＵＣＣＨリソースの論理−物理マッピングの一例について説明するための説明図である。図１９において、各物理リソースに付された番号は、ＮＲ−ＰＵＣＣＨリソースの論理番号（インデックス）を示しており、当該ＰＵＣＣＨリソースのインデックスを指示された場合には、図１９に示す物理リソースにマッピングされる。また、図１９に示す例では、先に時間方向において先頭から順番にインデックスが割り当てられ、その後で低い周波数から順番にインデックスが割り当てられる。換言すると、図１９に示す例では、周波数帯域の周波数方向に沿った端部側から優先的に、時間方向に沿ってインデックスが順次割り当てられている。また、図１５に示す例のように、上りリンクの所定の帯域幅の中心に対して、点対称となるようにインデックスが割り振られている。
【０２００】
次いで、第２のＮＲ−ＰＵＣＣＨリソースの論理−物理マッピングの一例について説明する。例えば、図２０は、第２のＮＲ−ＰＵＣＣＨリソースの論理−物理マッピングの一例について説明するための説明図である。具体的には、図２０は、図１７を参照して説明した第２のＮＲ−ＰＵＣＣＨの構成を想定した場合における、論理−物理マッピングの一例を示している。図２０において、各物理リソースに付された番号は、ＮＲ−ＰＵＣＣＨリソースの論理番号（インデックス）を示しており、当該ＰＵＣＣＨリソースのインデックスを指示された場合には、図２０に示す物理リソースにマッピングされる。図２０に示す例では、図１９に示す例とは異なり、先に周波数方向から順番にインデックスが割り当てられ、その後で時間方向の後ろから順番にインデックスが割り当てられる。換言すると、図２０に示す例では、サブフレーム等の所定の期間中における時間方向に沿った後方側から優先的に、周波数方向に沿ってインデックスが順次割り当てられている。これにより、サブフレームの後方（即ち、時間方向に沿って後端側）に第２のＮＲ−ＰＵＣＣＨが割り当てられ易くなる。即ち、図２０に示す例では、第２のＮＲ−ＰＵＣＣＨが割り当てられた領域よりも時間方向に沿って前側の領域をより広く確保することが可能となり、例えば、当該前側の領域にダウンリンクのリソースをより柔軟に割り当てることも可能となる。そのため、図２０に示すような構成とすることで、例えば、リソース効率の良い自己完結型送信の実現が可能となる。
【０２０１】
また、図２１は、第２のＮＲ−ＰＵＣＣＨリソースの論理−物理マッピングの他の一例について説明するための説明図である。具体的には、図２１は、図１８で示した第２のＮＲ−ＰＵＣＣＨの構成を想定した場合における、論理−物理マッピングの他の一例を示している。図２１に示す例は、図２０に示す例と比べて、よりサブフレームの後方に第２のＮＲ−ＰＵＣＣＨが集約されやすくなる。そのため、図２１に示すような構成とすることで、例えば、よりリソース効率の良い自己完結型送信の実現が可能となる。
【０２０２】
なお、上述した各例では、時間および周波数領域のＮＲ−ＰＵＣＣＨリソースについて説明したが、符号多重が可能であれば、符号軸上においてもＮＲ−ＰＵＣＣＨリソースのインデックスが割り当てられてもよい。
【０２０３】
＜本実施形態におけるＮＲ−ＰＵＣＣＨリソースの割り当て＞
続いて、以下に、ＮＲ−ＰＵＣＣＨリソースの割り当て手法について説明する。
【０２０４】
ＮＲ−ＰＵＣＣＨリソースの割り当て手法の一例として、ＮＲ−ＰＵＣＣＨリソースは、当該ＮＲ−ＰＵＣＣＨに含まれるＡＣＫ／ＮＡＣＫ応答に対応するＮＲ−ＰＤＳＣＨをスケジュールしたＮＲ−ＰＤＣＣＨに基づいて、端末装置により決定されてもよい。
【０２０５】
また、ＮＲ−ＰＤＣＣＨに基づくＮＲ−ＰＵＣＣＨリソースの割り当ての他の一例として、当該ＮＲ−ＰＤＣＣＨに含まれるＮＲ−ＤＣＩフォーマットの所定のフィールドにより、ＮＲ−ＰＵＣＣＨリソースのインデックスが、端末装置に通知されてもよい。
【０２０６】
また、ＮＲ−ＰＤＣＣＨに基づくＮＲ−ＰＵＣＣＨリソースの割り当ての他の一例として、当該ＮＲ−ＰＤＣＣＨに含まれるＮＲ−ＤＣＩフォーマットの所定のフィールドにより、ＮＲ−ＰＵＣＣＨリソースのインデックスまたはＮＲ−ＰＵＣＣＨのリソースブロックと紐づく情報が、端末装置に通知されてもよい。当該ＮＲ−ＰＵＣＣＨリソースのインデックスまたはＮＲ−ＰＵＣＣＨのリソースブロックとその所定のフィールドのビット情報との関係については、例えば、ＲＲＣメッセージによって設定されてもよい。
【０２０７】
また、ＮＲ−ＰＤＣＣＨに基づくＮＲ−ＰＵＣＣＨリソースの割り当ての他の一例として、当該ＮＲ−ＰＤＣＣＨに含まれるＮＲ−ＤＣＩフォーマットの所定のフィールドにより、ＮＲ−ＰＵＣＣＨが送信されるリソースブロックが、端末装置に通知されてもよい。当該リソースブロックが通知される情報は、例えば、ＮＲ−ＰＤＳＣＨのスケジュールに用いられるリソースブロックと指示形式が同じであってもよい。
【０２０８】
また、ＮＲ−ＰＤＣＣＨに基づくＮＲ−ＰＵＣＣＨリソースの割り当ての他の一例として、ＮＲ−ＰＵＣＣＨリソースは、当該ＮＲ−ＰＤＣＣＨがマッピングされたＮＲ−ＣＣＥに紐付いて、決定されてもよい。具体的な一例として、ＮＲ−ＰＤＣＣＨを構成するＮＲ−ＣＣＥの先頭のインデックスと、ＮＲ−ＰＵＣＣＨリソースのインデックスとが紐付けられる。より具体的には、ＮＲ−ＰＵＣＣＨリソースのインデックスは、ＮＲ−ＣＣＥインデックスと所定のオフセットとに基づき決定される。当該所定のオフセットは、専用のＲＲＣ情報、または、当該ＮＲ−ＰＤＣＣＨに含まれるＮＲ−ＤＣＩの情報、によって決定される。
【０２０９】
また、ＮＲ−ＰＵＣＣＨリソースの割り当て手法の他の一例として、ＮＲ−ＰＵＣＣＨリソースは、当該ＮＲ−ＰＵＣＣＨを運ぶＡＣＫ／ＮＡＣＫに対応するＮＲ−ＰＤＳＣＨが用いられたリソースブロックに紐付けられて、決定されてもよい。具体的な一例として、ＮＲ−ＰＤＳＣＨが用いられたリソースブロックの中で最小のリソースブロックインデックスと、ＮＲ−ＰＵＣＣＨリソースのインデックスと、が紐付けられる。より具体的には、ＮＲ−ＰＵＣＣＨリソースのインデックスは、当該最小のリソースブロックインデックスと所定のオフセットとに基づき決定されてもよい。また、当該所定のオフセットは、専用のＲＲＣ情報、または、そのＮＲ−ＰＤＣＣＨに含まれるＮＲ−ＤＣＩの情報、によって決定されてもよい。
【０２１０】
＜本実施形態におけるＮＲ−ＰＵＣＣＨの多重＞
第１のＮＲ−ＰＵＣＣＨと第２のＮＲ−ＰＵＣＣＨとは、同じＮＲキャリア（ＮＲセル）において多重されてもよい。これにより、異なる要求条件の通信を１つのキャリアに収容することが可能となり、より効率の良いシステムを運用することが可能となる。
【０２１１】
例えば、第１のＮＲ−ＰＵＣＣＨと第２のＮＲ−ＰＵＣＣＨとは、時間軸で多重されてもよい。具体的な一例として、第１のＮＲ−ＰＵＣＣＨと第２のＮＲ−ＰＵＣＣＨとは、異なるサブフレームで多重されてもよい。例えば、図２２は、第１のＮＲ−ＰＵＣＣＨと第２のＮＲ−ＰＤＣＣＨとの時間領域多重の一例について説明するための説明図である。図２２に示す例では、先のＮＲの上りリンクサブフレームにおいて第２のＮＲ−ＰＵＣＣＨが送信され、後のＮＲの上りリンクサブフレームでは第１のＮＲ−ＰＵＣＣＨが送信される。
【０２１２】
また、第１のＮＲ−ＰＵＣＣＨと第２のＮＲ−ＰＵＣＣＨとは、周波数軸で多重されてもよい。具体的な一例として、第１のＮＲ−ＰＵＣＣＨと第２のＮＲ−ＰＵＣＣＨとは、異なるリソースブロックで多重されてもよい。例えば、図２３は、第１のＮＲ−ＰＵＣＣＨと第２のＮＲ−ＰＵＣＣＨとの周波数領域多重の一例について説明するための説明図である。図２３に示す例では、上りリンクの所定の帯域幅の端部では第１のＮＲ−ＰＵＣＣＨが送信され、上りリンクの所定の帯域幅の中心部では第２のＮＲ−ＰＤＣＣＨが送信される。
【０２１３】
なお、第１のＮＲ−ＰＵＣＣＨと第２のＮＲ−ＰＵＣＣＨは、空間軸で多重されてもよい。また、第１のＮＲ−ＰＵＣＣＨと第２のＮＲ−ＰＵＣＣＨは、符号軸で多重されてもよい。
【０２１４】
＜本実施形態におけるＮＲ−ＰＵＣＣＨの切替え＞
続いて、以下に、本実施形態における２種類のＮＲ−ＰＵＣＣＨの切り替え（即ち、第１のＮＲ−ＰＵＣＣＨと第２のＮＲ−ＰＵＣＣＨと間の切り替え）の詳細について説明する。
【０２１５】
端末装置は、所定の条件によって第１のＮＲ−ＰＵＣＣＨと第２のＮＲ−ＰＵＣＣＨの送信を切り替えることが可能である。例えば、低消費電力が要求される場合と低遅延が要求される場合とで、送信されるＮＲ−ＰＵＣＣＨの構成（換言すると、ユースケースを実現するために要求されるＮＲ−ＰＵＣＣＨの構成）が異なる。これにより、異なる要求条件に応じて柔軟な通信を実現することが可能となる。
【０２１６】
ＮＲ−ＰＵＣＣＨの切り替えの手段の一例として、端末装置は、ＮＲ−ＰＤＣＣＨに基づいて、送信されるＮＲ−ＰＵＣＣＨの種類を切り替えてもよい（即ち、第１のＮＲ−ＰＵＣＣＨと第２のＮＲ−ＰＵＣＣＨとの間で切り替えてもよい）。
【０２１７】
ＮＲ−ＰＤＣＣＨに基づいて切り替える条件の一例として、端末装置は、ＮＲ−ＰＵＣＣＨの送信が指示されるタイミングに基づいて、ＮＲ−ＰＵＣＣＨの種類を切り替えてもよい。例えば、図２２に示す例のように、端末装置は、先のＮＲの上りリンクサブフレームでＮＲ−ＰＵＣＣＨの送信が指示された場合には、第２のＮＲ−ＰＵＣＣＨを送信し、後のＮＲの上りリンクサブフレームにおいてＮＲ−ＰＵＣＣＨの送信が指示された場合には、第１のＮＲ−ＰＵＣＣＨを送信してもよい。
【０２１８】
なお、ＮＲ−ＰＵＣＣＨを送信するタイミングを指示する情報は、例えば、自己完結型送信を指示する情報であってもよい。具体的な一例として、自己完結型送信が指示されない場合には、端末装置は、第１のＮＲ−ＰＵＣＣＨを用いて所定のサブフレーム（例えば、ＮＲ−ＰＤＣＣＨを受信したサブフレームから４サブフレーム後のサブフレーム）で送信を行ってよい。一方で、自己完結型送信が指示された場合には、端末装置は、第２のＮＲ−ＰＵＣＣＨを用いて当該ＮＲ−ＰＤＣＣＨで指示されたチャネルと同じサブフレームで送信を行ってもよい。
【０２１９】
また、ＮＲ−ＰＵＣＣＨを送信するタイミングを指示する情報は、例えば、ＮＲ−ＰＵＣＣＨを送信するＮＲの上りリンクサブフレームを指示するオフセット情報であってもよい。具体的な一例として、当該オフセット情報は、受信した当該ＮＲ−ＰＤＣＣＨの終了タイミング、または、当該ＮＲ−ＰＤＣＣＨがスケジュールするチャネルの終了タイミング、からのオフセット情報であってもよい。また、他の一例として、当該オフセット情報は、受信した当該ＮＲ−ＰＤＣＣＨの開始タイミング、または、当該ＮＲ−ＰＤＣＣＨがスケジュールするチャネルの開始タイミング、からのオフセット情報であってもよい。また、端末装置は、当該オフセット情報が所定の値以下である場合には、第１のＮＲ−ＰＵＣＣＨを送信してもよい。一方で、端末装置は、当該オフセット情報が所定の値以上である場合には、第２のＮＲ−ＰＵＣＣＨを送信してもよい。なお、上記タイミング、および、オフセット情報は、例えば、ＮＲのサブフレーム、スロット、およびシンボルのうちのいずれかであることが好ましい。
【０２２０】
また、ＮＲ−ＰＵＣＣＨを送信するタイミングを指示する情報は、例えば、ＮＲ−ＰＵＣＣＨを送信するＮＲの上りリンクサブフレームを指示するタイミング番号に関する情報であってもよい。当該タイミング番号は、システムフレーム番号（ＳＦＮ）、サブフレーム番号、スロット番号、およびシンボル番号のいずれかであることが好ましい。ただし、端末装置の処理能力によってそのタイミングではＮＲ−ＰＵＣＣＨの送信する準備が間に合わない場合等のように、当該情報によって指示されたタイミングでは送信することが困難である場合には、次のタイミングでＮＲ−ＰＵＣＣＨが送信されてもよい。また、端末装置は、通知された情報によって指示されたタイミングにおいて送信を行うことが可能である場合には、当該タイミングで第２のＮＲ−ＰＵＣＣＨを送信してもよい。一方で、端末装置は、通知された情報によって指示されたタイミングにおいて送信を行うことが困難である場合には、次のタイミングで第１のＮＲ−ＰＵＣＣＨを送信してもよい。
【０２２１】
また、ＮＲ−ＰＵＣＣＨを送信するタイミングを指示する情報は、例えば、当該ＮＲ−ＰＵＣＣＨに含まれるＮＲ−ＤＣＩがスケジュールするＮＲ−ＰＤＳＣＨまたはＮＲ−ＰＵＳＣＨのチャネル長に関する情報であってもよい。具体的には、ＮＲ−ＰＤＳＣＨまたはＮＲ−ＰＵＳＣＨのチャネル長に関する情報は、当該ＮＲ−ＰＤＳＣＨまたはＮＲ−ＰＵＳＣＨのチャネルの終了を示す情報であってもよい。なお、端末装置は、通知された情報が所定の終了タイミングよりも後に終了することを示す場合には、第１のＮＲ−ＰＵＣＣＨを送信してもよい。一方で、端末装置は、通知された情報が所定の終了タイミングよりも前に終了することを示す場合には、第２のＮＲ−ＰＵＣＣＨを送信してもよい。通知された情報が所定の終了タイミングよりも後に終了することを示す場合に送信される第１のＮＲ−ＰＵＣＣＨは、当該ＮＲ−ＰＤＳＣＨまたはＮＲ−ＰＵＳＣＨが送信されるサブフレームよりも後のサブフレームで送信されることが好ましい。また、通知された情報が所定の終了タイミングよりも前に終了することを示す場合に送信される第２のＮＲ−ＰＵＣＣＨは、当該ＮＲ−ＰＤＳＣＨまたはＮＲ−ＰＵＳＣＨが送信されるサブフレームと同じサブフレームで送信されることが好ましい。なお、上記所定の終了タイミングの情報は、シンボル単位の情報であることが好ましいが、スロット単位の情報であってもよい。
【０２２２】
また、ＮＲ−ＰＤＣＣＨに基づいて切り替える条件の一例として、端末装置は、ＮＲ−ＰＵＣＣＨの種類の切り替えを指示するための情報に基づいて、当該切り替えを行ってもよい。具体的には、ＮＲ−ＰＵＣＣＨの種類の切り替えを指示するための情報は、第１のＮＲ−ＰＵＣＣＨまたは第２のＮＲ−ＰＵＣＣＨの送信を示すビット形式による情報であってもよい。なお、端末装置は、当該ビットが１を示す場合に、第１のＮＲ−ＰＵＣＣＨを送信し、当該ビットが０を示す場合に、第２のＮＲ−ＰＵＣＣＨを送信してもよい。
【０２２３】
また、ＮＲ−ＰＵＣＣＨを切り替える手段の一例として、端末装置は、ＲＲＣメッセージに基づいて、送信されるＮＲ−ＰＵＣＣＨの種類を切り替えてもよい。
【０２２４】
当該ＲＲＣメッセージは、例えば、自己完結型送信を指示する設定パラメータを含んでもよい。この場合には、端末装置は、当該パラメータにより自己完結型送信であることが指示されない場合には、第１のＮＲ−ＰＵＣＣＨを用いて所定のサブフレーム（例えば、ＮＲ−ＰＤＣＣＨを受信したサブフレームから４サブフレーム後のサブフレーム）で送信を行ってもよい。一方で、端末装置は、当該パラメータにより自己完結型送信であることが指示された場合には、第２のＮＲ−ＰＵＣＣＨを用いてＮＲ−ＰＤＣＣＨで指示されたチャネルと同じサブフレームで送信を行ってもよい。
【０２２５】
また、当該ＲＲＣメッセージは、例えば、ＮＲ−ＰＵＣＣＨに関する設定パラメータを含んでもよい。この場合には、端末装置は、当該設定パラメータにより第１のＮＲ−ＰＵＣＣＨに関する設定がされた場合に、第１のＮＲ−ＰＵＣＣＨを送信してもよい。また、端末装置は、当該設定パラメータにより第２のＮＲ−ＰＵＣＣＨに関する設定がされた場合に、第２のＮＲ−ＰＵＣＣＨを送信してもよい。なお、当該設定パラメータにより第１のＮＲ−ＰＵＣＣＨに関する設定と、第２のＮＲ−ＰＵＣＣＨに関する設定と、の両方がされた場合には、第２のＮＲ−ＰＵＣＣＨが送信されることが好ましい。
【０２２６】
なお、端末装置において、ＲＲＣ接続が確立していない状態（ＲＲＣアイドル状態）にある場合には、当該端末装置は、第１のＮＲ−ＰＵＣＣＨを送信してもよい。
【０２２７】
基地局装置における切り替えを指示するＲＲＣメッセージは、端末装置の能力（ケイパビリティ）に基づいて、当該端末装置に送信されてもよい。そのため、端末装置は、ケイパビリティを示す情報を基地局装置に送信してもよい。ケイパビリティを示す情報としては、例えば、高機能な処理能力を搭載していることを暗示された端末カテゴリーを示すパラメータ、自己完結型送信を送信できるか否かを示すパラメータ、第２のＮＲ−ＰＵＣＣＨを送信できるか否かを示すパラメータ、および、ＮＲ−ＰＵＣＣＨの生成処理時間を示すパラメータ、等が挙げられる。
【０２２８】
また、ＮＲ−ＰＵＣＣＨの切り替えの手段の他の一例として、端末装置において所定の条件を満たした場合に、ＮＲ−ＰＵＣＣＨの種類が切り替えられてもよい。
【０２２９】
上記所定の条件の一例として、ＮＲ−ＰＵＣＣＨで運ばれる情報（ＵＣＩ）のタイプが、所定のタイプか否かを示す条件が挙げられる。具体的な一例として、ＮＲ−ＰＵＣＣＨで運ばれる情報が、ＣＳＩであれば、端末装置は、第１のＮＲ−ＰＵＣＣＨを用いて当該情報を送信してもよい。一方で、ＮＲ−ＰＵＣＣＨで運ばれる情報が、ＮＲ−ＰＤＳＣＨのＡＣＫ／ＮＡＣＫのみであれば、端末装置は、第２のＮＲ−ＰＵＣＣＨを用いて当該情報を送信してもよい。換言すると、端末装置は、ＮＲ−ＰＵＣＣＨで運ばれる情報がＣＳＩを含むのであれば、当該情報を第１のＮＲ−ＰＵＣＣＨを用いて送信し、ＣＳＩを含まないのであれば、当該情報を第２のＮＲ−ＰＵＣＣＨを用いて送信してもよい。
【０２３０】
なお、基地局装置は、第１のＮＲ−ＰＵＣＣＨおよび第２のＮＲ−ＰＵＣＣＨのいずれを受信したかに応じて、さらなる情報を取得してもよい。例えば、基地局装置は、第１のＮＲ−ＰＵＣＣＨを受信した場合には、対応する端末装置がスケジューリング要求（ＳＲ）を送信したと認識してもよい。一方で、基地局装置は、第２のＮＲ−ＰＵＣＣＨを受信した場合には、対応する端末装置がスケジューリング要求（ＳＲ）を送信していないものと認識してもよい。また、端末装置は、送信したい上りリンクのデータが発生した場合には、第１のＮＲ−ＰＵＣＣＨを送信し、それ以外の場合には、第２のＮＲ−ＰＵＣＣＨを送信してもよい。
【０２３１】
また、上記所定の条件の他の一例として、１つのＮＲ−ＰＵＣＣＨで送信されるＡＣＫ／ＮＡＣＫのビット数が所定の値以上か否かを示す条件が挙げられる。具体的な一例として、端末装置は、当該ＡＣＫ／ＮＡＣＫのビット数が所定の値以上であった場合に、第１のＮＲ−ＰＵＣＣＨを送信してもよい。一方で、端末装置は、当該ＡＣＫ／ＮＡＣＫのビット数が所定の値以下であった場合に、第２のＮＲ−ＰＵＣＣＨを送信してもよい。なお、ＡＣＫ／ＮＡＣＫのビット数に替えて、当該ＡＣＫ／ＮＡＣＫに対応するＮＲ−ＰＤＳＣＨが送信されたサブフレーム数、または、キャリアアグリゲーションによって設定されるサービングセル数が、上記所定の条件として適用されてもよい。
【０２３２】
また、上記所定の条件の他の一例として、ＮＲ−ＰＵＣＣＨが送信される帯域（バンド）が所定の帯域であるか否かを示す条件が挙げられる。具体的な一例として、端末装置は、ＮＲ−ＰＵＣＣＨが送信される帯域（バンド）が５ＧＨｚ帯などのアンライセンスバンドでない場合には、第１のＮＲ−ＰＵＣＣＨを送信しもよい。一方で、端末装置は、ＮＲ−ＰＵＣＣＨが送信される帯域（バンド）がアンライセンスバンドである場合には、第２のＮＲ−ＰＵＣＣＨを送信してもよい。
【０２３３】
また、上記所定の条件の他の一例として、送信されるＮＲ−ＰＵＣＣＨが所定の物理パラメータであるか否かを示す条件が挙げられる。具体的な一例として、端末装置は、所定の物理パラメータでＮＲ−ＰＵＣＣＨを送信することを指示された場合に、第１のＮＲ−ＰＵＣＣＨを送信してもよい。一方で、端末装置は、当該所定の物理パラメータとは異なる物理パラメータでＮＲ−ＰＵＣＣＨを送信することを指示された場合には、第２のＮＲ−ＰＵＣＣＨを送信してもよい。
【０２３４】
また、上記所定の条件の他の一例として、ＮＲ−ＰＵＣＣＨの送信電力と所定の値を比較した結果に基づく条件が挙げられる。具体的な一例として、端末装置は、第２のＮＲ−ＰＵＣＣＨの送信電力を計算し、当該送信電力の計算結果が所定の値以上であった場合は、第１のＮＲ−ＰＵＣＣＨを送信してもよい。一方で、端末装置は、当該送信電力の計算結果が所定の値未満の場合には、第２のＮＲ−ＰＵＣＣＨを送信してもよい。
【０２３５】
また、上記所定の条件の他の一例として、ＮＲ−ＰＵＣＣＨで運ばれるＡＣＫ／ＮＡＣＫ応答に対応するＮＲ−ＰＤＳＣＨが送信された帯域（バンド）が所定の帯域か否かを示す条件が挙げられる。
【０２３６】
また、上記所定の条件の他の一例として、ＮＲ−ＰＵＣＣＨが所定の搬送波波形（waveform）によって送信が指示されたか否かを示す条件が挙げられる。具体的な一例として、端末装置は、上りリンク送信がＤＦＴ−Ｓ−ＯＦＤＭなどのＳＣ−ＦＤＭＡで送信される場合に、第１のＮＲ−ＰＵＣＣＨを用いて送信を行ってもよい。一方で、端末装置は、上りリンク送信がＯＦＤＭで送信される場合には、第２のＮＲ−ＰＵＣＣＨを用いて送信を行ってもよい。
【０２３７】
また、上記所定の条件の他の一例として、デュアルコネクティビティによって設定されるＲＡＴの種別が所定のＲＡＴであるか否かを示す条件が挙げられる。具体的な一例として、端末装置は、ＬＴＥとのデュアルコネクティビティが設定された場合は、第１のＮＲ−ＰＵＣＣＨを送信してもよい。一方で、端末装置は、ＮＲのみのデュアルコネクティビティが設定された場合には、第２のＮＲ−ＰＵＣＣＨを送信してもよい。
【０２３８】
なお、上述したＮＲ−ＰＵＣＣＨの切り替えは、第１のＮＲ−ＰＵＣＣＨと第２のＮＲ−ＰＵＣＣＨとの間の切り替えに着目して説明したが、第１のＮＲ−ＰＵＣＣＨにおけるパラメータの切り替え、または、第２のＮＲ−ＰＵＣＣＨにおけるパラメータの切り替えにも同様に、上記の条件を適用することが可能である。ここで、第１のＮＲ−ＰＵＣＣＨにおけるパラメータの切り替えとしては、例えば、第１のＮＲ−ＰＵＣＣＨに用いられるリソースブロック数の切り替え等が挙げられる。また、第２のＮＲ−ＰＵＣＣＨにおけるパラメータの切り替えとして、例えば、第２のＮＲ−ＰＵＣＣＨに用いられるシンボル数の切り替え当該挙げられる。
【０２３９】
また、上記のＮＲ−ＰＵＣＣＨを、サイドリンクにおけるＮＲ−ＰＳＳＣＨに対応するＡＣＫ／ＮＡＣＫ応答を運ぶサイドリンクＡＣＫ／ＮＡＣＫチャネルに置き換えることで、サイドリンク通信において上りリンク通信と同様の効果を期待することが可能となる。
【０２４０】
なお、上述した第１のＮＲ−ＰＵＣＣＨおよび第２のＮＲ−ＰＵＣＣＨの構成およびマッピング方法は、ＮＲのみに限らず、ＬＴＥや他のＲＡＴにおいても、同様の構成および手段を適用することが可能である。
【０２４１】
また、上述したＮＲ−ＰＵＣＣＨと、当該ＮＲ−ＰＵＣＣＨの切り替えとは、ＮＲのみに限らず、ＬＴＥや他のＲＡＴにおいても、同様の手段を適用することが可能である。
【０２４２】
＜＜２．応用例＞＞
本開示に係る技術は、様々な製品へ応用可能である。例えば、基地局装置１は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局装置１は、ＮｏｄｅＢ又はＢＴＳ（Base  Transceiver  Station）などの他の種類の基地局として実現されてもよい。基地局装置１は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局装置１として動作してもよい。さらに、基地局装置１の少なくとも一部の構成要素は、基地局装置又は基地局装置のためのモジュールにおいて実現されてもよい。
【０２４３】
また、例えば、端末装置２は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２は、Ｍ２Ｍ（Machine  To  Machine）通信を行う端末（ＭＴＣ（Machine  Type  Communication）端末ともいう）として実現されてもよい。さらに、端末装置２の少なくとも一部の構成要素は、これら端末に搭載されるモジュール（例えば、１つのダイで構成される集積回路モジュール）において実現されてもよい。
【０２４４】
＜２．１．基地局に関する応用例＞
（第１の応用例）
図２４は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０２４５】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２４に示したように複数のアンテナ８１０を有し、複数のアンテナ８１０は、例えばｅＮＢ８００が使用する複数の周波数帯域にそれぞれ対応してもよい。なお、図２４にはｅＮＢ８００が複数のアンテナ８１０を有する例を示したが、ｅＮＢ８００は単一のアンテナ８１０を有してもよい。
【０２４６】
基地局装置８２０は、コントローラ８２１、メモリ８２２、ネットワークインタフェース８２３及び無線通信インタフェース８２５を備える。
【０２４７】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０２４８】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０２４９】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０２５０】
無線通信インタフェース８２５は、図２４に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２４に示したように複数のＲＦ回路８２７を含み、複数のＲＦ回路８２７は、例えば複数のアンテナ素子にそれぞれ対応してもよい。なお、図２４には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０２５１】
図２４に示したｅＮＢ８００において、図８を参照して説明した上位層処理部１０１及び制御部１０３のうち１つ以上の構成要素は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２５２】
また、図２４に示したｅＮＢ８００において、図８を参照して説明した受信部１０５及び送信部１０７は、無線通信インタフェース８２５（例えば、ＲＦ回路８２７）において実装されてもよい。また、送受信アンテナ１０９は、アンテナ８１０において実装されてもよい。また、ネットワーク通信部１３０は、コントローラ８２１及び／又はネットワークインタフェース８２３において実装されてもよい。
【０２５３】
（第２の応用例）
図２５は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０２５４】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２５に示したように複数のアンテナ８４０を有し、複数のアンテナ８４０は、例えばｅＮＢ８３０が使用する複数の周波数帯域にそれぞれ対応してもよい。なお、図２５にはｅＮＢ８３０が複数のアンテナ８４０を有する例を示したが、ｅＮＢ８３０は単一のアンテナ８４０を有してもよい。
【０２５５】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２４を参照して説明したコントローラ８２１、メモリ８２２及びネットワークインタフェース８２３と同様のものである。
【０２５６】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２４を参照して説明したＢＢプロセッサ８２６と同様のものである。無線通信インタフェース８５５は、図２４に示したように複数のＢＢプロセッサ８５６を含み、複数のＢＢプロセッサ８５６は、例えばｅＮＢ８３０が使用する複数の周波数帯域にそれぞれ対応してもよい。なお、図２５には無線通信インタフェース８５５が複数のＢＢプロセッサ８５６を含む例を示したが、無線通信インタフェース８５５は単一のＢＢプロセッサ８５６を含んでもよい。
【０２５７】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０２５８】
また、ＲＲＨ８６０は、接続インタフェース８６１及び無線通信インタフェース８６３を備える。
【０２５９】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０２６０】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２５に示したように複数のＲＦ回路８６４を含み、複数のＲＦ回路８６４は、例えば複数のアンテナ素子にそれぞれ対応してもよい。なお、図２５には無線通信インタフェース８６３が複数のＲＦ回路８６４を含む例を示したが、無線通信インタフェース８６３は単一のＲＦ回路８６４を含んでもよい。
【０２６１】
図２５に示したｅＮＢ８３０において、図８を参照して説明した上位層処理部１０１及び制御部１０３のうち１つ以上の構成要素は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２６２】
また、図２５に示したｅＮＢ８３０において、例えば、図８を参照して説明した受信部１０５及び送信部１０７は、無線通信インタフェース８６３（例えば、ＲＦ回路８６４）において実装されてもよい。また、送受信アンテナ１０９は、アンテナ８４０において実装されてもよい。また、ネットワーク通信部１３０は、コントローラ８５１及び／又はネットワークインタフェース８５３において実装されてもよい。
【０２６３】
＜２．２．端末装置に関する応用例＞
（第１の応用例）
図２６は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０２６４】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２６５】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２６６】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２６に示したように複数のＢＢプロセッサ９１３及び複数のＲＦ回路９１４を含んでもよい。なお、図２６には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０２６７】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０２６８】
アンテナスイッチ９１５の各々は、無線通信インタフェース９１２に含まれる複数の回路（例えば、異なる無線通信方式のための回路）の間でアンテナ９１６の接続先を切り替える。
【０２６９】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２６に示したように複数のアンテナ９１６を有してもよい。なお、図２６にはスマートフォン９００が複数のアンテナ９１６を有する例を示したが、スマートフォン９００は単一のアンテナ９１６を有してもよい。
【０２７０】
さらに、スマートフォン９００は、無線通信方式ごとにアンテナ９１６を備えてもよい。その場合に、アンテナスイッチ９１５は、スマートフォン９００の構成から省略されてもよい。
【０２７１】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２６に示したスマートフォン９００の各ブロックへ電力を供給する。補助コントローラ９１９は、例えば、スリープモードにおいて、スマートフォン９００の必要最低限の機能を動作させる。
【０２７２】
図２６に示したスマートフォン９００において、図９を参照して説明した図９を参照して説明した上位層処理部２０１及び制御部２０３のうち１つ以上の構成要素は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２７３】
また、図２６に示したスマートフォン９００において、例えば、図９を参照して説明した受信部２０５及び送信部２０７は、無線通信インタフェース９１２（例えば、ＲＦ回路９１４）において実装されてもよい。また、送受信アンテナ２０９は、アンテナ９１６において実装されてもよい。
【０２７４】
（第２の応用例）
図２７は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０２７５】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２７６】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２７７】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２７８】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２７に示したように複数のＢＢプロセッサ９３４及び複数のＲＦ回路９３５を含んでもよい。なお、図２７には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０２７９】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０２８０】
アンテナスイッチ９３６の各々は、無線通信インタフェース９３３に含まれる複数の回路（例えば、異なる無線通信方式のための回路）の間でアンテナ９３７の接続先を切り替える。
【０２８１】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２７に示したように複数のアンテナ９３７を有してもよい。なお、図２７にはカーナビゲーション装置９２０が複数のアンテナ９３７を有する例を示したが、カーナビゲーション装置９２０は単一のアンテナ９３７を有してもよい。
【０２８２】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０２８３】
バッテリー９３８は、図中に破線で部分的に示した給電ラインを介して、図２７に示したカーナビゲーション装置９２０の各ブロックへ電力を供給する。また、バッテリー９３８は、車両側から給電される電力を蓄積する。
【０２８４】
図２７に示したカーナビゲーション装置９２０において、図９を参照して説明した図９を参照して説明した上位層処理部２０１及び制御部２０３のうち１つ以上の構成要素は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２８５】
また、図２７に示したカーナビゲーション装置９２０において、例えば、図９を参照して説明した受信部２０５及び送信部２０７は、無線通信インタフェース９３３（例えば、ＲＦ回路９３５）において実装されてもよい。また、送受信アンテナ２０９は、アンテナ９３７において実装されてもよい。
【０２８６】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、上位層処理部２０１、制御部２０３、受信部２０５、及び送信部２０７のうち少なくともいずれかを備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０２８７】
＜＜３．むすび＞＞
以上説明したように、本実施形態に係るシステムにおいて、通信装置（端末装置）は、基地局に対して制御情報を送信するために、時間方向に沿った所定の期間（例えば、１サブフレーム）中に割り当てられる、シンボル数及びリソースブロック数の双方の条件が互いに異なる第１の物理チャネルと第２の物理チャネルとを、選択的に切り替える。
【０２８８】
このような構成により、例えば、ユースケースに応じて設計された複数の上りリンク制御チャネルの構成をより好適な態様で多重することが可能となり、ひいては、ステム全体の伝送効率をより向上させることが可能となる。
【０２８９】
また、本実施形態に係る通信装置は、第１の物理チャネルと第２の物理チャネルとを、時間方向または周波数方向に多重してもよい。このような構成により、本実施形態に係るシステムでは、異なる要求条件の通信を１つのキャリアに収容することが可能となるため、システム全体の伝送効率をさらに向上させることが可能となる。
【０２９０】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２９１】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２９２】
なお、以下のような構成も本開示の技術的範囲に属する。
（１）
無線通信を行う通信部と、
基地局に対して制御情報を送信するために、時系列に沿った所定の期間中に割り当てられる、シンボル数及びリソースブロック数の双方の条件が互いに異なる第１の物理チャネルと第２の物理チャネルとを、選択的に切り替える制御部と、
を備える、通信装置。
（２）
前記制御部は、基地局からの指示されたタイミングに基づき、前記第１の物理チャネルと前記第２の物理チャネルとを切り替える、前記（１）に記載の通信装置。
（３）
前記制御部は、基地局から自己完結型送信のタイミングが指示された場合に、当該タイミングに基づき、前記第１の物理チャネルと前記第２の物理チャネルとのうち、シンボル数のより少ない物理チャネルに切り替える、前記（２）に記載の通信装置。
（４）
ケイパビリティに関する情報を基地局に通知する通知部を備え、
前記制御部は、前記ケイパビリティに関する情報の通知後に、前記第１の物理チャネルと前記第２の物理チャネルとを切り替えるタイミングに関する指示を基地局から受ける、
前記（２）または（３）に記載の通信装置。
（５）
前記制御部は、基地局に送信するデータのタイプに応じて、前記第１の物理チャネルと前記第２の物理チャネルとを切り替える、前記（１）〜４のずれか一項に記載の通信装置。
（６）
前記制御部は、前記制御情報を送信するための周波数帯域に応じて、前記第１の物理チャネルと前記第２の物理チャネルとを切り替える、前記（１）〜５のずれか一項に記載の通信装置。
（７）
前記制御部は、前記制御情報を送信するための送信電力の算出値に応じて、前記第１の物理チャネルと前記第２の物理チャネルとを切り替える、前記（１）〜（６）のいずれか一項に記載の通信装置。
（８）
前記制御部は、基地局との間の通信に適用される通信方式に応じて、前記第１の物理チャネルと前記第２の物理チャネルとを切り替える、前記（１）〜（７）のいずれか一項に記載の通信装置。
（９）
前記制御部は、デュアルコネクティビティによって設定される無線アクセス技術の種別に応じて、前記第１の物理チャネルと前記第２の物理チャネルとを切り替える、前記（１）〜（８）のいずれか一項に記載の通信装置。
（１０）
前記制御部は、前記所定の期間を１以上含む期間において、前記第１の物理チャネルと前記第２の物理チャネルとを時間方向または周波数方向に多重する、前記（１）〜（９）のいずれか一項に記載の通信装置。
（１１）
前記制御部は、連続する２以上の前記所定の期間のうち、前記第２の物理チャネルを割り当てた第１の期間よりも、時間方向に沿って後方側に位置する第２の期間に前記第１の物理チャネルを割り当てることで、当該第１の物理チャネルと当該第２の物理チャネルとを時間方向に多重する、前記（１０）に記載の通信装置。
（１２）
前記制御部は、前記第１の物理チャネルと前記第２の物理チャネルとが割り当てられる周波数帯域のうち、周波数方向に沿ったより端部側に前記第１の物理チャネルを割り当て、周波数方向に沿ったより中心側に前記第２の物理チャネルを割り当てることで、当該第１の物理チャネルと当該第２の物理チャネルとを周波数方向に多重する、前記（１０）に記載の通信装置。
（１３）
無線通信を行う通信部と、
端末装置から制御情報を受信するために、時系列に沿った所定の期間中に割り当てられる、シンボル数及びリソースブロック数の双方の条件が互いに異なる第１の物理チャネルと第２の物理チャネルとの間の切り替えに関する情報を、端末装置に通知する通知部と、
を備える、通信装置。
（１４）
前記所定の期間に対する、前記第１の物理チャネル及び前記第２の物理チャネルの割り当てを制御する制御部を備え、
前記第２の物理チャネルは、前記第１の物理チャネルよりも、リソースブロック数が多く、かつシンボル数が少ない、前記（１３）に記載の通信装置。
（１５）
前記制御部は、前記第２の物理チャネルを、前記所定の期間中の時間方向に沿ったより後方側に割り当てる、前記（１４）に記載の通信装置。
（１６）
前記制御部は、前記第２の物理チャネルに対して前記制御情報をマッピングするためのインデックスを、前記所定の期間中の時間方向に沿った後方側から優先的に割り当てる、前記（１５）に記載の通信装置。
（１７）
前記制御部は、前記所定の期間中において、前記第２の物理チャネルのうち少なくとも一部を、他の一部とは、時間方向及び周波数方向のそれぞれの位置が異なるように割り当てる、前記（１５）または（１６）に記載の通信装置。
（１８）
前記制御部は、前記第１の物理チャネルを、当該第１の物理チャネルの割り当ての対象となる周波数帯域の周波数方向に沿ったより端部側に割り当てる、前記（１４）〜（１７）のいずれか一項に記載の通信装置。
（１９）
前記制御部は、前記第１の物理チャネルに対して前記制御情報をマッピングするためのインデックスを、前記周波数帯域の周波数方向に沿った端部側から優先的に割り当てる、前記（１８）に記載の通信装置。
（２０）
前記制御部は、前記所定の期間中において、前記第１の物理チャネルのうち少なくとも一部を、他の一部とは、時間方向及び周波数方向のそれぞれの位置が異なるように割り当てる、前記（１８）または（１９）に記載の通信装置。
（２１）
前記制御部は、前記所定の期間中において、前記第１の物理チャネルを、前記周波数帯域の周波数方向に沿ったいずれかの端部側に連続して割り当てる、前記（１８）または（１９）に記載の通信装置。
（２２）
無線通信を行うことと、
コンピュータが、基地局に対して制御情報を送信するために、時系列に沿った所定の期間中に割り当てられる、シンボル数及びリソースブロック数の双方の条件が互いに異なる第１の物理チャネルと第２の物理チャネルとを、選択的に切り替えることと、
を含む、通信方法。
（２３）
無線通信を行うことと、
コンピュータが、端末装置から制御情報を受信するために、時系列に沿った所定の期間中に割り当てられる、シンボル数及びリソースブロック数の双方の条件が互いに異なる第１の物理チャネルと第２の物理チャネルとの間の切り替えに関する情報を、端末装置に通知することと、
を含む、通信方法。
（２４）
コンピュータに、
無線通信を行うことと、
基地局に対して制御情報を送信するために、時系列に沿った所定の期間中に割り当てられる、シンボル数及びリソースブロック数の双方の条件が互いに異なる第１の物理チャネルと第２の物理チャネルとを、選択的に切り替えることと、
を実行させる、プログラム。
（２５）
コンピュータに、
無線通信を行うことと、
端末装置から制御情報を受信するために、時系列に沿った所定の期間中に割り当てられる、シンボル数及びリソースブロック数の双方の条件が互いに異なる第１の物理チャネルと第２の物理チャネルとの間の切り替えに関する情報を、端末装置に通知することと、
を実行させる、プログラム。
【符号の説明】
【０２９３】
１    基地局装置
１０１    上位層処理部
１０３    制御部
１０５    受信部
１０５１  復号化部
１０５３  復調部
１０５５  多重分離部
１０５７  無線受信部
１０５９  チャネル測定部
１０７    送信部
１０７１  符号化部
１０７３  変調部
１０７５  多重部
１０７７  無線送信部
１０７９  リンク参照信号生成部
１０９    送受信アンテナ
１３０    ネットワーク通信部
２    端末装置
２０１    上位層処理部
２０３    制御部
２０５    受信部
２０５１  復号化部
２０５３  復調部
２０５５  多重分離部
２０５７  無線受信部
２０５９  チャネル測定部
２０７    送信部
２０７１  符号化部
２０７３  変調部
２０７５  多重部
２０７７  無線送信部
２０７９  リンク参照信号生成部
２０９    送受信アンテナ
【図１】
2018026626.tif 000003
【図２】
2018026626.tif 000004
【図３】
2018026626.tif 000005
【図４】
2018026626.tif 000006
【図５】
2018026626.tif 000007
【図６】
2018026626.tif 000008
【図７】
2018026626.tif 000009
【図８】
2018026626.tif 000010
【図９】
2018026626.tif 000011
【図１０】
2018026626.tif 000012
【図１１】
2018026626.tif 000013
【図１２】
2018026626.tif 000014
【図１３】
2018026626.tif 000015
【図１４】
2018026626.tif 000016
【図１５】
2018026626.tif 000017
【図１６】
2018026626.tif 000018
【図１７】
2018026626.tif 000019
【図１８】
2018026626.tif 000020
【図１９】
2018026626.tif 000021
【図２０】
2018026626.tif 000022
【図２１】
2018026626.tif 000023
【図２２】
2018026626.tif 000024
【図２３】
2018026626.tif 000025
【図２４】
2018026626.tif 000026
【図２５】
2018026626.tif 000027
【図２６】
2018026626.tif 000028
【図２７】
2018026626.tif 000029